(57)【要約】統合アクセスシステム、構成方法、およびベースバンドユニットが提供される。本出願の実施形態は、第１のベースバンドユニットＢＢＵ、第２のＢＢＵ、第１のデータ交換ユニット、第１の基地局ネットワーク管理サブシステム、第２の基地局ネットワーク管理サブシステム、および第１のピコリモート無線ユニットｐＲＲＵを含む、統合アクセスシステムを提供する。第１のＢＢＵは第１のデータ交換ユニットに接続され、第１のＢＢＵは第１の基地局ネットワーク管理サブシステムに接続され、第１のＢＢＵは第２のＢＢＵに接続され、第２のＢＢＵは第２の基地局ネットワーク管理サブシステムに接続され、第１のｐＲＲＵは第１のデータ交換ユニットに接続される。
2020523854.tif 000002
【特許請求の範囲】
【請求項１】
第１のベースバンドユニットＢＢＵ、第２のＢＢＵ、第１のデータ交換ユニット、第１の基地局ネットワーク管理サブシステム、第２の基地局ネットワーク管理サブシステム、および第１のピコリモート無線ユニットｐＲＲＵを備える、統合アクセスシステムであって、
前記第１のＢＢＵは前記第１のデータ交換ユニットに接続され、前記第１のＢＢＵは前記第１の基地局ネットワーク管理サブシステムに接続され、前記第１のＢＢＵは前記第２のＢＢＵに接続され、
前記第２のＢＢＵは前記第２の基地局ネットワーク管理サブシステムに接続され、
前記第１のｐＲＲＵは前記第１のデータ交換ユニットに接続された、
統合アクセスシステム。
【請求項２】
前記統合アクセスシステムは、第３のＢＢＵおよび第３の基地局ネットワーク管理サブシステムをさらに備え、
前記第１のＢＢＵは前記第３のＢＢＵに接続され、
前記第３のＢＢＵは前記第３の基地局ネットワーク管理サブシステムに接続された
請求項１に記載の統合アクセスシステム。
【請求項３】
前記統合アクセスシステムは、第４のＢＢＵ、第２のデータ交換ユニット、第４の基地局ネットワーク管理サブシステム、および第２のｐＲＲＵをさらに備え、
前記第４のＢＢＵは前記第２のデータ交換ユニットに接続され、前記第４のＢＢＵは前記第４の基地局ネットワーク管理サブシステムに接続され、前記第４のＢＢＵは前記第２のＢＢＵに接続され、
前記第２のｐＲＲＵは前記第２のデータ交換ユニットに接続された
請求項１または２に記載の統合アクセスシステム。
【請求項４】
統合アクセスシステムに基づく構成方法であって、前記統合アクセスシステムは、第１のベースバンドユニットＢＢＵおよび第２のＢＢＵを備え、前記第１のＢＢＵは前記第２のＢＢＵに接続され、前記方法は、
前記第１のＢＢＵによって、第１のクロック同期情報を取得するステップであって、前記第１のクロック同期情報は、前記第１のＢＢＵのクロック周波数およびクロック位相を備える、ステップと、
前記第１のＢＢＵによって、前記第１のクロック同期情報を前記第２のＢＢＵに送るステップと
を含む、構成方法。
【請求項５】
前記統合アクセスシステムは第３のＢＢＵをさらに備え、前記第３のＢＢＵは前記第１のＢＢＵに接続され、前記方法は、
前記第１のＢＢＵによって、前記第１のクロック同期情報を前記第３のＢＢＵに送るステップ
をさらに含む請求項４に記載の方法。
【請求項６】
統合アクセスシステムに基づく構成方法であって、前記統合アクセスシステムは、第１のベースバンドユニットＢＢＵおよび第２のＢＢＵを備え、前記第１のＢＢＵは前記第２のＢＢＵに接続され、前記方法は、
前記第２のＢＢＵによって、前記第１のＢＢＵによって送られた第１のクロック同期情報を受信するステップであって、前記第１のクロック同期情報は、前記第１のＢＢＵのクロック周波数およびクロック位相を備える、ステップと、
前記第２のＢＢＵによって、前記第１のクロック同期情報に基づいて前記第２のＢＢＵのローカルクロック情報を構成するステップと
を含む、構成方法。
【請求項７】
前記統合アクセスシステムは第４のＢＢＵをさらに備え、前記第４のＢＢＵは前記第２のＢＢＵに接続され、前記方法は、
前記第２のＢＢＵによって、前記第４のＢＢＵによって送られた第２のクロック同期情報を受信するステップであって、前記第２のクロック同期情報は、前記第４のＢＢＵのクロック周波数およびクロック位相を備える、ステップ
をさらに含み、
前記第２のＢＢＵによって、前記第１のクロック同期情報に基づいて前記第２のＢＢＵのローカルクロック情報を構成する前記ステップは、
前記第２のＢＢＵによって、前記第１のクロック同期情報および前記第２のクロック同期情報に基づいて前記第２のＢＢＵの前記ローカルクロック情報を構成するステップ
を含む請求項６に記載の方法。
【請求項８】
前記第２のＢＢＵによって、前記第１のクロック同期情報および前記第２のクロック同期情報に基づいて前記第２のＢＢＵの前記ローカルクロック情報を構成する前記ステップは、
前記第２のＢＢＵによって、前記第１のクロック同期情報および前記第２のクロック同期情報から、より高いクロック品質をもつクロック同期情報を選択し、より高いクロック品質をもつ前記クロック同期情報に基づいて前記第２のＢＢＵの前記ローカルクロック情報を構成するステップ
を含む請求項７に記載の方法。
【請求項９】
統合アクセスシステムに基づく構成方法であって、前記統合アクセスシステムは、第１のベースバンドユニットＢＢＵおよび第２のＢＢＵを備え、前記第１のＢＢＵは前記第２のＢＢＵに接続され、前記方法は、
前記第１のＢＢＵによって、第１の回線速度を更新し、各更新の後に、更新された第１の回線速度においてデータフレームを前記第２のＢＢＵに送るステップと、
前記第２のＢＢＵが第２の回線速度を更新する各時間の後に、前記第１のＢＢＵによって、更新された第２の回線速度において前記第２のＢＢＵによって送られたデータフレームを受信するステップと、
前記第１の回線速度が前記第２の回線速度に等しいとき、前記第１のＢＢＵによって、前記第１の回線速度において前記第１のＢＢＵのネットワーキング関係情報を前記第２のＢＢＵに送り、前記第２の回線速度において前記第２のＢＢＵによって送られた前記第２のＢＢＵのネットワーキング関係情報を受信するステップと、
前記第１のＢＢＵによって、前記第２のＢＢＵの前記ネットワーキング関係情報に基づいて前記第２のＢＢＵに通信アドレスを割り振り、前記第１のＢＢＵの通信アドレスを前記第２のＢＢＵに送るステップと、
前記第１のＢＢＵによって、前記第２のＢＢＵの前記通信アドレスに基づいて前記第２のＢＢＵとの双方向上位レイヤ通信チャネルを確立するステップと
を含む、構成方法。
【請求項１０】
前記第１の回線速度が前記第２の回線速度に等しいとき、前記方法は、
前記第１のＢＢＵによって、前記第１の回線速度において前記第１のＢＢＵの回線速度能力情報を前記第２のＢＢＵに送るステップと、
前記第１のＢＢＵによって、前記第２の回線速度において前記第２のＢＢＵによって送られた前記第２のＢＢＵの回線速度能力情報を受信するステップと、
前記第１のＢＢＵの前記回線速度能力情報および前記第２のＢＢＵの前記回線速度能力情報に基づいて前記第１のＢＢＵによって、前記第１のＢＢＵと前記第２のＢＢＵとの間で物理レイヤ通信を実施するために使用される回線速度を判定するステップと
をさらに含む請求項９に記載の方法。
【請求項１１】
前記第１のＢＢＵによって、第１の回線速度を更新する前記ステップは、
前記第１のＢＢＵによって、第１の期間に基づいて前記第１の回線速度を更新するステップであって、前記第１の期間と第２の期間は異なる期間であり、前記第２の期間は、前記第２のＢＢＵが前記第２の回線速度をそれに基づいて更新する期間である、ステップ
を含む請求項９または１０に記載の方法。
【請求項１２】
統合アクセスシステムに基づく構成方法であって、前記統合アクセスシステムは、第１のベースバンドユニットＢＢＵおよび第２のＢＢＵを備え、前記第１のＢＢＵは前記第２のＢＢＵに接続され、前記方法は、
前記第２のＢＢＵによって、第２の回線速度を更新し、各更新の後に、更新された第２の回線速度においてデータフレームを前記第１のＢＢＵに送るステップと、
前記第１のＢＢＵが第１の回線速度を更新する各時間の後に、前記第２のＢＢＵによって、更新された第１の回線速度において前記第１のＢＢＵによって送られたデータフレームを受信するステップと、
前記第２の回線速度が前記第１の回線速度に等しいとき、前記第２のＢＢＵによって、前記第２の回線速度において前記第２のＢＢＵのネットワーキング関係情報を前記第１のＢＢＵに送り、前記第１の回線速度において前記第１のＢＢＵによって送られた前記第１のＢＢＵのネットワーキング関係情報を受信するステップと、
前記第２のＢＢＵによって、前記第１のＢＢＵの通信アドレスを取得するステップと、
前記第２のＢＢＵによって、前記第１のＢＢＵの前記通信アドレスに基づいて前記第１のＢＢＵとの双方向上位レイヤ通信チャネルを確立するステップと
を含む、構成方法。
【請求項１３】
前記第２の回線速度が前記第１の回線速度に等しいとき、前記方法は、
前記第２のＢＢＵによって、前記第２の回線速度において前記第２のＢＢＵの回線速度能力情報を前記第１のＢＢＵに送るステップと、
前記第２のＢＢＵによって、前記第１の回線速度において前記第１のＢＢＵによって送られた前記第１のＢＢＵの回線速度能力情報を受信するステップと、
前記第２のＢＢＵの前記回線速度能力情報および前記第１のＢＢＵの前記回線速度能力情報に基づいて前記第２のＢＢＵによって、前記第１のＢＢＵと前記第２のＢＢＵとの間で物理レイヤ通信を実施するために使用される回線速度を判定するステップと
をさらに含む請求項１２に記載の方法。
【請求項１４】
前記第２のＢＢＵによって、第２の回線速度を更新する前記ステップは、
前記第２のＢＢＵによって、第２の期間に基づいて前記第２の回線速度を更新するステップであって、前記第２の期間と第１の期間は異なる期間であり、前記第１の期間は、前記第１のＢＢＵが前記第１の回線速度をそれに基づいて更新する期間である、ステップ
を含む請求項１２または１３に記載の方法。
【請求項１５】
統合アクセスシステムに基づく構成方法であって、前記統合アクセスシステムは、第１のベースバンドユニットＢＢＵ、第２のＢＢＵ、第１のデータ交換ユニット、第２の基地局ネットワーク管理サブシステム、および第１のピコリモート無線ユニットｐＲＲＵを備え、前記第１のＢＢＵは、前記第２のＢＢＵおよび前記第１のデータ交換ユニットに別々に接続され、前記第１のデータ交換ユニットは前記第１のｐＲＲＵに接続され、前記第２のＢＢＵは前記第２の基地局ネットワーク管理サブシステムに接続され、前記方法は、
前記第１のＢＢＵによって、前記第１のデータ交換ユニットに対応するリソースおよび前記第１のｐＲＲＵに対応するリソースにスライシング処理を実施して、複数のセクタデバイスグループオブジェクトリソースを取得するステップと、
前記第１のＢＢＵによって、前記第２の基地局ネットワーク管理サブシステムのリソース構成要求に基づいて前記複数のセクタデバイスグループオブジェクトリソースから第１のセクタデバイスグループオブジェクトリソースを選択するステップと、
前記第１のＢＢＵによって、前記第１のセクタデバイスグループオブジェクトリソースを前記第２のＢＢＵに通知するステップと
を含む、構成方法。
【請求項１６】
前記統合アクセスシステムは、第３のＢＢＵおよび第３の基地局ネットワーク管理サブシステムをさらに備え、前記第１のＢＢＵは前記第３のＢＢＵに接続され、前記第３のＢＢＵは前記第３の基地局ネットワーク管理サブシステムに接続され、前記方法は、
前記第１のＢＢＵによって、前記第３の基地局ネットワーク管理サブシステムのリソース構成要求に基づいて前記複数のセクタデバイスグループオブジェクトリソースから第２のセクタデバイスグループオブジェクトリソースを選択するステップと、
前記第１のＢＢＵによって、前記第２のセクタデバイスグループオブジェクトリソースを前記第３のＢＢＵに通知するステップと
をさらに含む請求項１５に記載の方法。
【請求項１７】
前記第１のデータ交換ユニットに対応する前記リソースは、無線周波数合成セル能力リソースおよび送信チャネル帯域幅リソースを備え、前記第１のｐＲＲＵに対応する前記リソースは無線周波数リソースを備える請求項１５または１６に記載の方法。
【請求項１８】
統合アクセスシステムに基づく構成方法であって、前記統合アクセスシステムは、第１のベースバンドユニットＢＢＵ、第２のＢＢＵ、第１のデータ交換ユニット、第２の基地局ネットワーク管理サブシステム、および第１のピコリモート無線ユニットｐＲＲＵを備え、前記第１のＢＢＵは、前記第２のＢＢＵおよび前記第１のデータ交換ユニットに別々に接続され、前記第１のデータ交換ユニットは前記第１のｐＲＲＵに接続され、前記第２のＢＢＵは前記第２の基地局ネットワーク管理サブシステムに接続され、前記方法は、
前記第２のＢＢＵによって、前記第１のＢＢＵによって通知される第１のセクタデバイスグループオブジェクトリソースを取得するステップと、
前記第２のＢＢＵによって、前記第１のセクタデバイスグループオブジェクトリソースを前記第２のＢＢＵのベースバンドリソースにバインドし、前記第１のセクタデバイスグループオブジェクトリソースに対応する物理セルをアクティブにするステップと
を含む、構成方法。
【請求項１９】
ベースバンドユニットＢＢＵであって、前記ＢＢＵは特に第１のＢＢＵであり、前記第１のＢＢＵは統合アクセスシステムに属し、前記統合アクセスシステムは第２のＢＢＵをさらに備え、前記第１のＢＢＵは前記第２のＢＢＵに接続され、前記第１のＢＢＵは、
第１のクロック同期情報を取得するように構成された、取得モジュールであって、前記第１のクロック同期情報は、前記第１のＢＢＵのクロック周波数およびクロック位相を備える、取得モジュールと、
前記第１のクロック同期情報を前記第２のＢＢＵに送るように構成された、送りモジュールと
を備える、ベースバンドユニットＢＢＵ。
【請求項２０】
前記統合アクセスシステムは第３のＢＢＵをさらに備え、前記第３のＢＢＵは前記第１のＢＢＵに接続され、前記送りモジュールは、前記第１のクロック同期情報を前記第３のＢＢＵに送るようにさらに構成された請求項１９に記載のＢＢＵ。
【請求項２１】
ベースバンドユニットＢＢＵであって、前記ＢＢＵは特に第２のＢＢＵであり、前記第２のＢＢＵは統合アクセスシステムに属し、前記統合アクセスシステムは第１のＢＢＵをさらに備え、前記第１のＢＢＵは前記第２のＢＢＵに接続され、前記第２のＢＢＵは、
前記第１のＢＢＵによって送られた第１のクロック同期情報を受信するように構成された、受信モジュールであって、前記第１のクロック同期情報は、前記第１のＢＢＵのクロック周波数およびクロック位相を備える、受信モジュールと、
前記第１のクロック同期情報に基づいて前記第２のＢＢＵのローカルクロック情報を構成するように構成された、構成モジュールと
を備える、ベースバンドユニットＢＢＵ。
【請求項２２】
前記統合アクセスシステムは第４のＢＢＵをさらに備え、前記第４のＢＢＵは前記第２のＢＢＵに接続され、前記受信モジュールは、前記第４のＢＢＵによって送られた第２のクロック同期情報を受信するようにさらに構成され、前記第２のクロック同期情報は、前記第４のＢＢＵのクロック周波数およびクロック位相を備え、
前記構成モジュールは、前記第１のクロック同期情報および前記第２のクロック同期情報に基づいて前記第２のＢＢＵの前記ローカルクロック情報を構成するように特に構成された
請求項２１に記載のＢＢＵ。
【請求項２３】
前記構成モジュールは、前記第１のクロック同期情報および前記第２のクロック同期情報から、より高いクロック品質をもつクロック同期情報を選択し、より高いクロック品質をもつ前記クロック同期情報に基づいて前記第２のＢＢＵの前記ローカルクロック情報を構成するように特に構成された請求項２２に記載のＢＢＵ。
【請求項２４】
ベースバンドユニットＢＢＵであって、前記ＢＢＵは特に第１のＢＢＵであり、前記第１のＢＢＵは統合アクセスシステムに属し、前記統合アクセスシステムは第２のＢＢＵをさらに備え、前記第１のＢＢＵは前記第２のＢＢＵに接続され、前記第１のＢＢＵは、
第１の回線速度を更新し、各更新の後に、更新された第１の回線速度においてデータフレームを前記第２のＢＢＵに送るように構成された、回線速度更新モジュールと、
前記第２のＢＢＵが第２の回線速度を更新する各時間の後に、更新された第２の回線速度において前記第２のＢＢＵによって送られたデータフレームを受信するように構成された、受信モジュールと、
前記第１の回線速度が前記第２の回線速度に等しいとき、前記第１の回線速度において前記第１のＢＢＵのネットワーキング関係情報を前記第２のＢＢＵに送り、前記第２の回線速度において前記第２のＢＢＵによって送られた前記第２のＢＢＵのネットワーキング関係情報を受信するように構成された、送りモジュールと、
前記第２のＢＢＵの前記ネットワーキング関係情報に基づいて前記第２のＢＢＵに通信アドレスを割り振り、前記第１のＢＢＵの通信アドレスを前記第２のＢＢＵに送るように構成された、アドレス割振りモジュールと、
前記第２のＢＢＵの前記通信アドレスに基づいて前記第２のＢＢＵとの双方向上位レイヤ通信チャネルを確立するように構成された、チャネル確立モジュールと
を備える、ベースバンドユニットＢＢＵ。
【請求項２５】
前記第１の回線速度が前記第２の回線速度に等しいとき、前記第１のＢＢＵは回線速度判定モジュールをさらに備え、
前記送りモジュールは、前記第１の回線速度において前記第１のＢＢＵの回線速度能力情報を前記第２のＢＢＵに送るようにさらに構成され、
前記受信モジュールは、前記第２の回線速度において前記第２のＢＢＵによって送られた前記第２のＢＢＵの回線速度能力情報を受信するようにさらに構成され、
前記回線速度判定モジュールは、前記第１のＢＢＵの前記回線速度能力情報および前記第２のＢＢＵの前記回線速度能力情報に基づいて、前記第１のＢＢＵと前記第２のＢＢＵとの間で物理レイヤ通信を実施するために使用される回線速度を判定するように構成された
請求項２４に記載のＢＢＵ。
【請求項２６】
ベースバンドユニットＢＢＵであって、前記ＢＢＵは特に第２のＢＢＵであり、前記第２のＢＢＵは統合アクセスシステムに属し、前記統合アクセスシステムは第１のＢＢＵをさらに備え、前記第１のＢＢＵは前記第２のＢＢＵに接続され、前記第２のＢＢＵは、
第２の回線速度を更新し、各更新の後に、更新された第２の回線速度においてデータフレームを前記第１のＢＢＵに送るように構成された、回線速度更新モジュールと、
前記第１のＢＢＵが第１の回線速度を更新する各時間の後に、更新された第１の回線速度において前記第１のＢＢＵによって送られたデータフレームを受信するように構成された、受信モジュールと、
前記第２の回線速度が前記第１の回線速度に等しいとき、前記第２のＢＢＵによって、前記第２の回線速度において前記第２のＢＢＵのネットワーキング関係情報を前記第１のＢＢＵに送り、前記第１の回線速度において前記第１のＢＢＵによって送られた前記第１のＢＢＵのネットワーキング関係情報を受信するように構成された、送りモジュールと、
前記第１のＢＢＵの通信アドレスを取得するように構成された、アドレス取得モジュールと、
前記第１のＢＢＵの前記通信アドレスに基づいて前記第１のＢＢＵとの双方向上位レイヤ通信チャネルを確立するように構成された、チャネル確立モジュールと
を備える、ベースバンドユニットＢＢＵ。
【請求項２７】
前記第２の回線速度が前記第１の回線速度に等しいとき、前記第２のＢＢＵは回線速度判定モジュールをさらに備え、
前記送りモジュールは、前記第２の速度において前記第２のＢＢＵの回線速度能力情報を前記第１のＢＢＵに送るようにさらに構成され、
前記受信モジュールは、前記第１の回線速度において前記第１のＢＢＵによって送られた前記第１のＢＢＵの回線速度能力情報を受信するようにさらに構成され、
前記回線速度判定モジュールは、前記第２のＢＢＵの前記回線速度能力情報および前記第１のＢＢＵの前記回線速度能力情報に基づいて、前記第１のＢＢＵと前記第２のＢＢＵとの間で物理レイヤ通信を実施するために使用される回線速度を判定するように構成された
請求項２６に記載のＢＢＵ。
【請求項２８】
ベースバンドユニットＢＢＵであって、前記ＢＢＵは特に第１のＢＢＵであり、前記第１のＢＢＵは統合アクセスシステムに属し、前記統合アクセスシステムは、第２のＢＢＵ、第１のデータ交換ユニット、第２の基地局ネットワーク管理サブシステム、および第１のピコリモート無線ユニットｐＲＲＵをさらに備え、前記第１のＢＢＵは、前記第２のＢＢＵおよび前記第１のデータ交換ユニットに別々に接続され、前記第１のデータ交換ユニットは前記第１のｐＲＲＵに接続され、前記第２のＢＢＵは前記第２の基地局ネットワーク管理サブシステムに接続され、前記第１のＢＢＵは、
前記第１のデータ交換ユニットに対応するリソースおよび前記第１のｐＲＲＵに対応するリソースにスライシング処理を実施して、複数のセクタデバイスグループオブジェクトリソースを取得するように構成された、スライシングモジュールと、
前記第２の基地局ネットワーク管理サブシステムのリソース構成要求に基づいて前記複数のセクタデバイスグループオブジェクトリソースから第１のセクタデバイスグループオブジェクトリソースを選択するように構成された、リソース割振りモジュールと、
前記第１のセクタデバイスグループオブジェクトリソースを前記第２のＢＢＵに通知するように構成された、通知モジュールと
を備える、ベースバンドユニットＢＢＵ。
【請求項２９】
前記統合アクセスシステムは、第３のＢＢＵおよび第３の基地局ネットワーク管理サブシステムをさらに備え、前記第１のＢＢＵは前記第３のＢＢＵに接続され、前記第３のＢＢＵは前記第３の基地局ネットワーク管理サブシステムに接続され、
前記リソース割振りモジュールは、前記第３の基地局ネットワーク管理サブシステムのリソース構成要求に基づいて前記複数のセクタデバイスグループオブジェクトリソースから第２のセクタデバイスグループオブジェクトリソースを選択するようにさらに構成され、
前記通知モジュールは、前記第２のセクタデバイスグループオブジェクトリソースを前記第３のＢＢＵに通知するようにさらに構成された
請求項２８に記載のＢＢＵ。
【請求項３０】
ベースバンドユニットＢＢＵであって、前記ＢＢＵは特に第２のＢＢＵであり、前記第２のＢＢＵは統合アクセスシステムに属し、前記統合アクセスシステムは、第１のＢＢＵ、第２のＢＢＵ、第１のデータ交換ユニット、第２の基地局ネットワーク管理サブシステム、および第１のピコリモート無線ユニットｐＲＲＵをさらに備え、前記第１のＢＢＵは、前記第２のＢＢＵおよび前記第１のデータ交換ユニットに別々に接続され、前記第１のデータ交換ユニットは前記第１のｐＲＲＵに接続され、前記第２のＢＢＵは前記第２の基地局ネットワーク管理サブシステムに接続され、前記第２のＢＢＵは、
前記第１のＢＢＵによって通知される第１のセクタデバイスグループオブジェクトリソースを取得するように構成された、リソース取得モジュールと、
前記第１のセクタデバイスグループオブジェクトリソースを前記第２のＢＢＵのベースバンドリソースにバインドし、前記第１のセクタデバイスグループオブジェクトリソースに対応する物理セルをアクティブにするように構成された、リソース使用モジュールと
を備える、ベースバンドユニットＢＢＵ。
【請求項３１】
命令を備える、コンピュータ可読記憶媒体であって、前記命令がコンピュータ上で実行されるとき、前記コンピュータは、請求項４乃至１８のいずれか一項に記載の方法を実施することを可能にされる、コンピュータ可読記憶媒体。
【請求項３２】
命令を備えるコンピュータプログラム製品であって、前記コンピュータプログラム製品がコンピュータ上で実行されるとき、前記コンピュータは、請求項４乃至１８のいずれか一項に記載の方法を実施することを可能にされる、コンピュータプログラム製品。
【発明の詳細な説明】
【技術分野】
【０００１】
本出願の実施形態は、通信分野に関し、詳細には、統合アクセスシステム、構成方法、およびベースバンドユニットに関する。
【背景技術】
【０００２】
ｒａｄｉｏ  ｄｏｔシステム（Ｌａｍｐｓｉｔｅ）は屋内カバレージソリューションである。Ｌａｍｐｓｉｔｅは、主に、モバイルブロードバンドデータの屋内カバレージに専用される。屋内カバレージのデジタル化を通して、屋内カバレージの構築および保守コストが大幅に低減され、モバイルブロードバンドエクスペリエンスが改善される。
【０００３】
モバイル通信マーケットの急速な発展とともに、ユーザは、いつでもおよびどこでも高品質通信ネットワークにアクセスすることをますます期待する。したがって、モバイル通信サービスプロバイダは、呼サービスについてのユーザの要件を最大限に満たすために、リピータを屋外に、建築物内に、地下に、および電波によってカバーされることが困難な別のブラインドエリア中に配設し始めている。ＬａｍｐＳｉｔｅに基づいて実装された統合アクセスシステムは、複数の規格および複数の周波数帯域をサポートする専用分散システムアーキテクチャである。図１に示されているように、現在の統合アクセスシステムは、ベースバンドユニット（Ｂａｓｅ  Ｂａｎｄ  Ｕｎｉｔ、ＢＢＵ）、データ交換ユニット（ＲＨＵＢとも呼ばれる）、ピコリモート無線ユニット（ｐｉｃｏ  Ｒｅｍｏｔｅ  Ｒａｄｉｏ  Ｕｎｉｔ、ｐＲＲＵ）、基地局ネットワーク管理サブシステムなど、複数の製品機能モジュールをさらに含む。
【０００４】
ＢＢＵは集約ノードとして働く。ＢＢＵはＲＨＵＢに接続され、基地局ネットワーク管理サブシステムはＢＢＵに接続され、ＲＨＵＢはｐＲＲＵに接続される。ＢＢＵは、基地局システム全体に対して集中制御および管理を実施するように構成される。ＲＨＵＢは、ＢＢＵとｐＲＲＵとの間の通信を実装し、ｐＲＲＵは、無線周波数信号処理機能を実装する。
【０００５】
現在の統合アクセスシステムには少なくとも以下の技術的問題が存在する。ＢＢＵのセル能力が高まるにつれて、ＢＢＵは、集約ノードとしてＲＨＵＢと基地局ネットワーク管理サブシステムを接続する。事業者は、基地局ネットワーク管理サブシステムを使用することによってベースバンドリソースを構成および管理し得る。従来技術では、ＢＢＵの無線周波数リソースおよびベースバンドリソースは、同じ基地局ネットワーク管理サブシステムを使用することによって管理される。その結果、異なるリソースの構成および管理は分離されることが不可能であり、サービスアクティブ化およびサービスアップグレードも分離されることが不可能である。結果的に、従来技術では、統合アクセスシステムの信頼性と保守性の両方が低い。
【発明の概要】
【０００６】
本出願の実施形態は、統合アクセスシステムの内部分離を実装し、統合アクセスシステムの信頼性および保守性を改善するための、統合アクセスシステム、構成方法、およびベースバンドユニットを提供する。
【０００７】
第１の態様によれば、本出願の実施形態は、第１のベースバンドユニットＢＢＵ、第２のＢＢＵ、第１のデータ交換ユニット、第１の基地局ネットワーク管理サブシステム、第２の基地局ネットワーク管理サブシステム、および第１のピコリモート無線ユニットｐＲＲＵを含む、統合アクセスシステムを提供する。第１のＢＢＵは第１のデータ交換ユニットに接続され、第１のＢＢＵは第１の基地局ネットワーク管理サブシステムに接続され、第１のＢＢＵは第２のＢＢＵに接続される。第２のＢＢＵは第２の基地局ネットワーク管理サブシステムに接続される。第１のｐＲＲＵは第１のデータ交換ユニットに接続される。
【０００８】
本出願のこの実施形態では、統合アクセスシステムは、第１のＢＢＵおよび第２のＢＢＵという、２つのタイプのＢＢＵを含む。第１のＢＢＵと第２のＢＢＵは、互いに通信するために接続される。加えて、第１のＢＢＵは第１の基地局ネットワーク管理サブシステムに接続され、第２のＢＢＵは第２の基地局ネットワーク管理サブシステムに接続される。したがって、第１のＢＢＵの無線周波数リソースは、第１の基地局ネットワーク管理サブシステムを使用することによって別々に構成および管理され得、第２のＢＢＵのベースバンドリソースは、第２の基地局ネットワーク管理サブシステムを使用することによって別々に構成および管理され得る。このようにして、無線周波数リソースおよびベースバンドリソースは独立して管理されることが可能であり、統合アクセスシステムの信頼性および保守性は大幅に改善される。
【０００９】
本出願のこの実施形態の可能な設計では、統合アクセスシステムは、第３のＢＢＵおよび第３の基地局ネットワーク管理サブシステムをさらに含む。第１のＢＢＵは第３のＢＢＵに接続され、第３のＢＢＵは第３の基地局ネットワーク管理サブシステムに接続される。本出願の上記の実施形態では、統合アクセスシステムにおいて、第１のＢＢＵはホストＢＢＵとして配設され、第２のＢＢＵと第３のＢＢＵの両方がクライアントＢＢＵとして配設される。加えて、第２のＢＢＵおよび第３のＢＢＵは、それぞれの基地局ネットワーク管理サブシステムに接続される。たとえば、第２のＢＢＵは第２の基地局ネットワーク管理サブシステムに接続され、第３のＢＢＵは第３の基地局ネットワーク管理サブシステムに接続される。したがって、複数の事業者がネットワークを一緒に確立し、確立の後にネットワークリソースを共有するシナリオにおいて、それらの異なる事業者は、第２の基地局ネットワーク管理サブシステムおよび第３の基地局ネットワーク管理サブシステムを別々に使用し、それにより、それらの複数の事業者間でアセット分離、運用および保守分離、ならびにサービスアクティブ化およびアップグレード分離を実装し得る。
【００１０】
本出願のこの実施形態の可能な設計では、統合アクセスシステムは、第４のＢＢＵ、第２のデータ交換ユニット、第４の基地局ネットワーク管理サブシステム、および第２のｐＲＲＵをさらに含む。第４のＢＢＵは第２のデータ交換ユニットに接続され、第４のＢＢＵは第４の基地局ネットワーク管理サブシステムに接続され、第４のＢＢＵは第２のＢＢＵに接続され、第２のｐＲＲＵは第２のデータ交換ユニットに接続される。統合アクセスシステムにおいて、第１のＢＢＵと第４のＢＢＵの両方がホストＢＢＵとして働き得る。たとえば、第１のＢＢＵおよび第４のＢＢＵは、異なる建築物中に別々にあり得る。第１のＢＢＵおよび第４のＢＢＵは、異なるファイバーチャネルを通して第２のＢＢＵに別々に接続され得る。第２のＢＢＵは、クライアントＢＢＵと複数のホストＢＢＵとの間のサブラック間接続をサポートするために、中央機器ルーム中に配設され得、それにより、１つの中央機器ルームは複数の周囲の建築物をカバーする。
【００１１】
第２の態様によれば、本出願の実施形態は、統合アクセスシステムに基づく構成方法をさらに提供する。統合アクセスシステムは、第１のベースバンドユニットＢＢＵおよび第２のＢＢＵを含み、第１のＢＢＵは第２のＢＢＵに接続される。本方法は、第１のＢＢＵによって、第１のクロック同期情報を取得するステップであって、第１のクロック同期情報は、第１のＢＢＵのクロック周波数およびクロック位相を含む、ステップと、第１のＢＢＵによって、第１のクロック同期情報を第２のＢＢＵに送るステップとを含む。第１のＢＢＵは、第１のクロック同期情報を第２のＢＢＵに送り得、したがって、第２のＢＢＵは、第１のクロック同期情報に基づいて第２のＢＢＵのローカルクロック情報を構成し、それにより、ＢＢＵ間でサブラック間クロック同期を実装することができる。たとえば、ＢＢＵモードが構成される。基地局ネットワーク管理サブシステムのＯＭチャネルを通して、第１のＢＢＵはホストＢＢＵモードとして構成され得、第２のＢＢＵはクライアントＢＢＵモードとして構成され得る。複数のＢＢＵのサブラック間集約がサポートされ、したがって、複数の事業者は異なるＢＢＵにアクセスし、それにより、事業者間の運用および保守分離の問題を解決し、ＢＢＵアクセスに基づく将来の大容量展開を実装する。加えて、本出願のこの実施形態では、複数のホストＢＢＵと複数のクライアントＢＢＵとの間のサブラック間接続がサポートされ、それにより、１つの中央機器ルームは複数の周囲の建築物をカバーする。
【００１２】
本出願のこの実施形態の可能な設計では、統合アクセスシステムは第３のＢＢＵをさらに含み、第３のＢＢＵは第１のＢＢＵに接続され、本方法は、第１のＢＢＵによって、第１のクロック同期情報を第３のＢＢＵに送るステップをさらに含む。第１のＢＢＵがホストＢＢＵとして２つのクライアントＢＢＵに接続されたとき、第１のＢＢＵが第１のクロック同期情報を取得した後に、第１のＢＢＵは、第１のクロック同期情報を第２のＢＢＵおよび第３のＢＢＵに別々に送り得、したがって、第３のＢＢＵは、クライアントＢＢＵとして、第１のＢＢＵの第１のクロック同期情報を受信することもできる。第３のＢＢＵは、第１のクロック同期情報を使用して第３のＢＢＵのローカルクロックソースを補正し、それにより、ＢＢＵ間でサブラック間クロック同期を実装し得る。
【００１３】
第３の態様によれば、本出願の実施形態は、統合アクセスシステムに基づく構成方法をさらに提供する。統合アクセスシステムは、第１のベースバンドユニットＢＢＵおよび第２のＢＢＵを含み、第１のＢＢＵは第２のＢＢＵに接続される。本方法は、第２のＢＢＵによって、第１のＢＢＵによって送られた第１のクロック同期情報を受信するステップであって、第１のクロック同期情報は、第１のＢＢＵのクロック周波数およびクロック位相を含む、ステップと、第２のＢＢＵによって、第１のクロック同期情報に基づいて第２のＢＢＵのローカルクロック情報を構成するステップとを含む。第１のＢＢＵは、第１のクロック同期情報を第２のＢＢＵに送り得、したがって、第２のＢＢＵは、第１のクロック同期情報に基づいて第２のＢＢＵのローカルクロック情報を構成し、それにより、ＢＢＵ間でサブラック間クロック同期を実装することができる。
【００１４】
本出願のこの実施形態の可能な設計では、統合アクセスシステムは第４のＢＢＵをさらに含み、第４のＢＢＵは第２のＢＢＵに接続され、本方法は、第２のＢＢＵによって、第４のＢＢＵによって送られた第２のクロック同期情報を受信するステップであって、第２のクロック同期情報は、第４のＢＢＵのクロック周波数およびクロック位相を含む、ステップをさらに含み、第２のＢＢＵによって、第１のクロック同期情報に基づいて第２のＢＢＵのローカルクロック情報を構成するステップは、第２のＢＢＵによって、第１のクロック同期情報および第２のクロック同期情報に基づいて第２のＢＢＵのローカルクロック情報を構成するステップを含む。第１のクロック同期情報を受信することに加えて、第２のＢＢＵは、第４のＢＢＵの第２のクロック同期情報を受信する。第２のＢＢＵは、第２のクロック同期情報をパースして、第４のＢＢＵのクロック周波数およびクロック位相を取得し得る。第２のＢＢＵと第４のＢＢＵの両方がホストＢＢＵとして働くとき、第２のＢＢＵおよび第４のＢＢＵは、クライアントＢＢＵとして働いている第２のＢＢＵにクロック同期情報を別々に送り得、第２のＢＢＵは、第１のＢＢＵのクロック周波数およびクロック位相、ならびに第４のＢＢＵのクロック周波数およびクロック位相を別々に取得し得る。
【００１５】
本出願のこの実施形態の可能な設計では、第２のＢＢＵによって、第１のクロック同期情報および第２のクロック同期情報に基づいて第２のＢＢＵのローカルクロック情報を構成するステップは、第２のＢＢＵによって、第１のクロック同期情報および第２のクロック同期情報から、より高いクロック品質をもつクロック同期情報を選択し、より高いクロック品質をもつクロック同期情報に基づいて第２のＢＢＵのローカルクロック情報を構成するステップを含む。第２のＢＢＵは、第１のＢＢＵおよび第４のＢＢＵによって第２のＢＢＵに別々に送られたクロック同期情報から、より高いクロック品質をもつクロック同期情報を選択し、より高いクロック品質をもつクロック同期情報に基づいて第２のＢＢＵのローカルクロック情報を構成して、第２のＢＢＵが、高いクロック品質をもつクロック情報を使用することを保証し得る。
【００１６】
第４の態様によれば、本出願の実施形態は、統合アクセスシステムに基づく構成方法をさらに提供する。統合アクセスシステムは、第１のベースバンドユニットＢＢＵおよび第２のＢＢＵを含み、第１のＢＢＵは第２のＢＢＵに接続され、本方法は、第１のＢＢＵによって、第１の回線速度を更新し、各更新の後に、更新された第１の回線速度においてデータフレームを第２のＢＢＵに送るステップと、第２のＢＢＵが第２の回線速度を更新する各時間の後に、第１のＢＢＵによって、更新された第２の回線速度において第２のＢＢＵによって送られたデータフレームを受信するステップと、第１の回線速度が第２の回線速度に等しいとき、第１のＢＢＵによって、第１の回線速度において第１のＢＢＵのネットワーキング関係情報を第２のＢＢＵに送り、第２の回線速度において第２のＢＢＵによって送られた第２のＢＢＵのネットワーキング関係情報を受信するステップと、第１のＢＢＵによって、第２のＢＢＵのネットワーキング関係情報に基づいて第２のＢＢＵに通信アドレスを割り振り、第１のＢＢＵの通信アドレスを第２のＢＢＵに送るステップと、第１のＢＢＵによって、第２のＢＢＵの通信アドレスに基づいて第２のＢＢＵとの双方向上位レイヤ通信チャネルを確立するステップとを含む。第１のＢＢＵおよび第２のＢＢＵは回線速度オートネゴシエーションを実施し得る。第１のＢＢＵは、第２のＢＢＵに通信アドレスを割り振り、第２のＢＢＵは、第１のＢＢＵの通信アドレスを取得し得る。第１のＢＢＵは、第２のＢＢＵの通信アドレスに基づいて第２のＢＢＵとの双方向上位レイヤ通信チャネルを確立する。回線速度オートネゴシエーション、ネットワーキング関係情報交換、および通信アドレス割振りを通して、上位レイヤ通信チャネルは、手動構成なしに第１のＢＢＵと第２のＢＢＵとの間で自動的に確立され、それにより、手動コストが低減され、エラー確率が減少され得る。たとえば、上位レイヤ通信チャネルは、ホストＢＢＵとクライアントＢＢＵとの間で自動的に確立され、それにより、サービス人員の構成作業負荷およびサイトセットアップの複雑さが低減される。
【００１７】
本出願のこの実施形態の可能な設計では、第１の回線速度が第２の回線速度に等しいとき、本方法は、第１のＢＢＵによって、第１の回線速度において第１のＢＢＵの回線速度能力情報を第２のＢＢＵに送るステップと、第１のＢＢＵによって、第２の回線速度において第２のＢＢＵによって送られた第２のＢＢＵの回線速度能力情報を受信するステップと、第１のＢＢＵの回線速度能力情報および第２のＢＢＵの回線速度能力情報に基づいて第１のＢＢＵによって、第１のＢＢＵと第２のＢＢＵとの間で物理レイヤ通信を実施するために使用される回線速度を判定するステップとをさらに含む。回線速度能力情報は、物理レイヤチャネル上でのＢＢＵの最大送信能力である。第１のＢＢＵおよび第２のＢＢＵは、それぞれの回線速度能力情報を交換し、次いで、第１のＢＢＵの回線速度能力情報および第２のＢＢＵの回線速度能力情報に基づいて、第１のＢＢＵと第２のＢＢＵとの間で物理レイヤ通信を実施するために使用される回線速度を判定する。たとえば、手動構成を実施するために手動リソースを占有することなしに回線速度オートネゴシエーションを実装するために、第１のＢＢＵと第２のＢＢＵとの間で物理レイヤ通信を実施するために使用される回線速度として、第１のＢＢＵの回線速度能力情報と第２のＢＢＵの回線速度能力情報の交差セット中の最大回線速度が選択され得る。
【００１８】
本出願のこの実施形態の可能な設計では、第１のＢＢＵによって、第１の回線速度を更新するステップは、第１のＢＢＵによって、第１の期間に基づいて第１の回線速度を更新するステップであって、第１の期間と第２の期間は異なる期間であり、第２の期間は、第２のＢＢＵが第２の回線速度をそれに基づいて更新する期間である、ステップを含む。第１のＢＢＵと第２のＢＢＵの両方が、それぞれの期間に基づいてそれぞれの回線速度値を更新し、第１の期間と第２の期間は異なる期間である。したがって、第１の期間および第２の期間中に、より長い期間およびより短い期間が必ずある。第１のＢＢＵおよび第２のＢＢＵは、第１のＢＢＵと第２のＢＢＵとの間でブラインド回線速度マッチングを試みるために、それぞれの回線速度を周期的に更新し、それにより、手動構成を実施するために手動リソースを占有することなしに回線速度オートネゴシエーションを実装する。
【００１９】
第５の態様によれば、本出願の実施形態は、統合アクセスシステムに基づく構成方法をさらに提供する。統合アクセスシステムは、第１のベースバンドユニットＢＢＵおよび第２のＢＢＵを含み、第１のＢＢＵは第２のＢＢＵに接続され、本方法は、第２のＢＢＵによって、第２の回線速度を更新し、各更新の後に、更新された第２の回線速度においてデータフレームを第１のＢＢＵに送るステップと、第１のＢＢＵが第１の回線速度を更新する各時間の後に、第２のＢＢＵによって、更新された第１の回線速度において第１のＢＢＵによって送られたデータフレームを受信するステップと、第２の回線速度が第１の回線速度に等しいとき、第２のＢＢＵによって、第２の回線速度において第２のＢＢＵのネットワーキング関係情報を第１のＢＢＵに送り、第１の回線速度において第１のＢＢＵによって送られた第１のＢＢＵのネットワーキング関係情報を受信するステップと、第２のＢＢＵによって、第１のＢＢＵの通信アドレスを取得するステップと、第２のＢＢＵによって、第１のＢＢＵの通信アドレスに基づいて第１のＢＢＵとの双方向上位レイヤ通信チャネルを確立するステップとを含む。第１のＢＢＵおよび第２のＢＢＵは回線速度オートネゴシエーションを実施し得る。第１のＢＢＵは、第２のＢＢＵに通信アドレスを割り振り、第２のＢＢＵは、第１のＢＢＵの通信アドレスを取得し得る。第１のＢＢＵは、第２のＢＢＵの通信アドレスに基づいて第２のＢＢＵとの双方向上位レイヤ通信チャネルを確立する。回線速度オートネゴシエーション、ネットワーキング関係情報交換、および通信アドレス割振りを通して、上位レイヤ通信チャネルは、手動構成なしに第１のＢＢＵと第２のＢＢＵとの間で自動的に確立され、それにより、手動コストが低減され、エラー確率が減少され得る。
【００２０】
本出願のこの実施形態の可能な設計では、第２の回線速度が第１の回線速度に等しいとき、本方法は、第２のＢＢＵによって、第２の回線速度において第２のＢＢＵの回線速度能力情報を第１のＢＢＵに送るステップと、第２のＢＢＵによって、第１の回線速度において第１のＢＢＵによって送られた第１のＢＢＵの回線速度能力情報を受信するステップと、第２のＢＢＵの回線速度能力情報および第１のＢＢＵの回線速度能力情報に基づいて第２のＢＢＵによって、第１のＢＢＵと第２のＢＢＵとの間で物理レイヤ通信を実施するために使用される回線速度を判定するステップとをさらに含む。回線速度能力情報は、物理レイヤチャネル上でのＢＢＵの最大送信能力である。第１のＢＢＵおよび第２のＢＢＵは、それぞれの回線速度能力情報を交換し、次いで、第１のＢＢＵの回線速度能力情報および第２のＢＢＵの回線速度能力情報に基づいて、第１のＢＢＵと第２のＢＢＵとの間で物理レイヤ通信を実施するために使用される回線速度を判定する。たとえば、手動構成を実施するために手動リソースを占有することなしに回線速度オートネゴシエーションを実装するために、第１のＢＢＵと第２のＢＢＵとの間で物理レイヤ通信を実施するために使用される回線速度として、第１のＢＢＵの回線速度能力情報と第２のＢＢＵの回線速度能力情報の交差セット中の最大回線速度が選択され得る。
【００２１】
本出願のこの実施形態の可能な設計では、第２のＢＢＵによって、第２の回線速度を更新するステップは、第２のＢＢＵによって、第２の期間に基づいて第２の回線速度を更新するステップであって、第２の期間と第１の期間は異なる期間であり、第１の期間は、第１のＢＢＵが第１の回線速度をそれに基づいて更新する期間である、ステップを含む。第１のＢＢＵと第２のＢＢＵの両方が、それぞれの期間に基づいてそれぞれの回線速度値を更新し、第１の期間と第２の期間は異なる期間である。したがって、第１の期間および第２の期間中に、より長い期間およびより短い期間が必ずある。第１のＢＢＵおよび第２のＢＢＵは、第１のＢＢＵと第２のＢＢＵとの間でブラインド回線速度マッチングを試みるために、それぞれの回線速度を周期的に更新し、それにより、手動構成を実施するために手動リソースを占有することなしに回線速度オートネゴシエーションを実装する。
【００２２】
第６の態様によれば、本出願の実施形態は、統合アクセスシステムに基づく構成方法をさらに提供する。統合アクセスシステムは、第１のベースバンドユニットＢＢＵ、第２のＢＢＵ、第１のデータ交換ユニット、第２の基地局ネットワーク管理サブシステム、および第１のピコリモート無線ユニットｐＲＲＵを含む。第１のＢＢＵは、第２のＢＢＵおよび第１のデータ交換ユニットに別々に接続され、第１のデータ交換ユニットは第１のｐＲＲＵに接続され、第２のＢＢＵは第２の基地局ネットワーク管理サブシステムに接続される。本方法は、第１のＢＢＵによって、第１のデータ交換ユニットに対応するリソースおよび第１のｐＲＲＵに対応するリソースにスライシング処理を実施して、複数のセクタデバイスグループオブジェクトリソースを取得するステップと、第１のＢＢＵによって、第２の基地局ネットワーク管理サブシステムのリソース構成要求に基づいて複数のセクタデバイスグループオブジェクトリソースから第１のセクタデバイスグループオブジェクトリソースを選択するステップと、第１のＢＢＵによって、第１のセクタデバイスグループオブジェクトリソースを第２のＢＢＵに通知するステップとを含む。第１のＢＢＵは、第１のデータ交換ユニットに対応するリソースおよび第１のｐＲＲＵに対応するリソースにスライシング処理を実施して、複数のセクタデバイスグループオブジェクトリソースを取得する。第１のＢＢＵは、第２の基地局ネットワーク管理サブシステムのリソース構成要求に基づいて第２の基地局ネットワーク管理サブシステムに第１のセクタデバイスグループオブジェクトリソースを割り振り、したがって、事業者デバイスは、ＲＨＵＢおよびｐＲＲＵなどの共通リソースを独立して呼び出すことができる。
【００２３】
本出願のこの実施形態の可能な設計では、統合アクセスシステムは、第３のＢＢＵおよび第３の基地局ネットワーク管理サブシステムをさらに含み、第１のＢＢＵは第３のＢＢＵに接続され、第３のＢＢＵは第３の基地局ネットワーク管理サブシステムに接続され、本方法は、第１のＢＢＵによって、第３の基地局ネットワーク管理サブシステムのリソース構成要求に基づいて複数のセクタデバイスグループオブジェクトリソースから第２のセクタデバイスグループオブジェクトリソースを選択するステップと、第１のＢＢＵによって、第２のセクタデバイスグループオブジェクトリソースを第３のＢＢＵに通知するステップとをさらに含む。第１のＢＢＵがファイバーチャネルを通して第２のＢＢＵおよび第３のＢＢＵに接続された場合、第１のＢＢＵは、第３の基地局ネットワーク管理サブシステムのリソース構成要求に基づいて第３の基地局ネットワーク管理サブシステムに第２のセクタデバイスグループオブジェクトリソースをさらに割り振り得、したがって、事業者デバイスは、ＲＨＵＢおよびｐＲＲＵなどの共通リソースを独立して呼び出すことができる。
【００２４】
本出願のこの実施形態の可能な設計では、第１のデータ交換ユニットに対応するリソースは、無線周波数合成セル能力リソースおよび送信チャネル帯域幅リソースを含み、第１のｐＲＲＵに対応するリソースは無線周波数リソースを含む。
【００２５】
第７の態様によれば、本出願の実施形態は、統合アクセスシステムに基づく構成方法をさらに提供する。統合アクセスシステムは、第１のベースバンドユニットＢＢＵ、第２のＢＢＵ、第１のデータ交換ユニット、第２の基地局ネットワーク管理サブシステム、および第１のピコリモート無線ユニットｐＲＲＵを含む。第１のＢＢＵは、第２のＢＢＵおよび第１のデータ交換ユニットに別々に接続され、第１のデータ交換ユニットは第１のｐＲＲＵに接続され、第２のＢＢＵは第２の基地局ネットワーク管理サブシステムに接続される。本方法は、第２のＢＢＵによって、第１のＢＢＵによって通知される第１のセクタデバイスグループオブジェクトリソースを取得するステップと、第２のＢＢＵによって、第１のセクタデバイスグループオブジェクトリソースを第２のＢＢＵのベースバンドリソースにバインドし、第１のセクタデバイスグループオブジェクトリソースに対応する物理セルをアクティブにするステップとを含む。第２のＢＢＵは、第１のＢＢＵによって通知される第１のセクタデバイスグループオブジェクトリソースを取得し、第２のＢＢＵは、第１のセクタデバイスグループオブジェクトリソースを第２のＢＢＵのベースバンドリソースにバインドし、第１のセクタデバイスグループオブジェクトリソースに対応する物理セルをアクティブにし、したがって、事業者デバイスは、ＲＨＵＢおよびｐＲＲＵなどの共通リソースを独立して呼び出すことができる。
【００２６】
第８の態様によれば、本出願の実施形態は、ＢＢＵをさらに提供する。ＢＢＵは特に第１のＢＢＵであり、第１のＢＢＵは統合アクセスシステムに属する。統合アクセスシステムは第２のＢＢＵをさらに含み、第１のＢＢＵは第２のＢＢＵに接続される。第１のＢＢＵは、第１のクロック同期情報を取得するように構成された、取得モジュールであって、第１のクロック同期情報は、第１のＢＢＵのクロック周波数およびクロック位相を含む、取得モジュールと、第１のクロック同期情報を第２のＢＢＵに送るように構成された、送りモジュールとを含む。第１のＢＢＵは、第１のクロック同期情報を第２のＢＢＵに送り得、したがって、第２のＢＢＵは、第１のクロック同期情報に基づいて第２のＢＢＵのローカルクロック情報を構成し、それにより、ＢＢＵ間でサブラック間クロック同期を実装することができる。たとえば、ＢＢＵモードが構成される。基地局ネットワーク管理サブシステムのＯＭチャネルを通して、第１のＢＢＵはホストＢＢＵモードとして構成され得、第２のＢＢＵはクライアントＢＢＵモードとして構成され得る。複数のＢＢＵのサブラック間集約がサポートされ、したがって、複数の事業者は異なるＢＢＵにアクセスし、それにより、事業者間の運用および保守分離の問題を解決し、ＢＢＵアクセスに基づく将来の大容量展開を実装する。加えて、本出願のこの実施形態では、複数のホストＢＢＵと複数のクライアントＢＢＵとの間のサブラック間接続がサポートされ、それにより、１つの中央機器ルームは複数の周囲の建築物をカバーする。
【００２７】
本出願の第８の態様では、第１のＢＢＵの組立てモジュールは、第２の態様および可能な実装において説明されるステップをさらに実施し得る。詳細については、第２の態様および可能な実装における説明を参照されたい。
【００２８】
第９の態様によれば、本出願の実施形態は、ＢＢＵをさらに提供する。ＢＢＵは特に第２のＢＢＵであり、第２のＢＢＵは統合アクセスシステムに属する。統合アクセスシステムは第１のＢＢＵをさらに含み、第１のＢＢＵは第２のＢＢＵに接続される。第２のＢＢＵは、第１のＢＢＵによって送られた第１のクロック同期情報を受信するように構成された、受信モジュールであって、第１のクロック同期情報は、第１のＢＢＵのクロック周波数およびクロック位相を含む、受信モジュールと、第１のクロック同期情報に基づいて第２のＢＢＵのローカルクロック情報を構成するように構成された、構成モジュールとを含む。第１のＢＢＵは、第１のクロック同期情報を第２のＢＢＵに送り得、したがって、第２のＢＢＵは、第１のクロック同期情報に基づいて第２のＢＢＵのローカルクロック情報を構成し、それにより、ＢＢＵ間でサブラック間クロック同期を実装することができる。
【００２９】
本出願の第９の態様では、第２のＢＢＵの組立てモジュールは、第３の態様および可能な実装において説明されるステップをさらに実施し得る。詳細については、第３の態様および可能な実装における説明を参照されたい。
【００３０】
第１０の態様によれば、本出願の実施形態は、ＢＢＵをさらに提供する。ＢＢＵは特に第１のＢＢＵであり、第１のＢＢＵは統合アクセスシステムに属する。統合アクセスシステムは第２のＢＢＵをさらに含み、第１のＢＢＵは第２のＢＢＵに接続される。第１のＢＢＵは、第１の回線速度を更新し、各更新の後に、更新された第１の回線速度においてデータフレームを第２のＢＢＵに送るように構成された、回線速度更新モジュールと、第２のＢＢＵが第２の回線速度を更新する各時間の後に、更新された第２の回線速度において第２のＢＢＵによって送られたデータフレームを受信するように構成された、受信モジュールと、第１の回線速度が第２の回線速度に等しいとき、第１の回線速度において第１のＢＢＵのネットワーキング関係情報を第２のＢＢＵに送り、第２の回線速度において第２のＢＢＵによって送られた第２のＢＢＵのネットワーキング関係情報を受信するように構成された、送りモジュールと、第２のＢＢＵのネットワーキング関係情報に基づいて第２のＢＢＵに通信アドレスを割り振り、第１のＢＢＵの通信アドレスを第２のＢＢＵに送るように構成された、アドレス割振りモジュールと、第２のＢＢＵの通信アドレスに基づいて第２のＢＢＵとの双方向上位レイヤ通信チャネルを確立するように構成された、チャネル確立モジュールとを含む。第１のＢＢＵおよび第２のＢＢＵは回線速度オートネゴシエーションを実施し得る。第１のＢＢＵは、第２のＢＢＵに通信アドレスを割り振り、第２のＢＢＵは、第１のＢＢＵの通信アドレスを取得し得る。第１のＢＢＵは、第２のＢＢＵの通信アドレスに基づいて第２のＢＢＵとの双方向上位レイヤ通信チャネルを確立する。回線速度オートネゴシエーション、ネットワーキング関係情報交換、および通信アドレス割振りを通して、上位レイヤ通信チャネルは、手動構成なしに第１のＢＢＵと第２のＢＢＵとの間で自動的に確立され、それにより、手動コストが低減され、エラー確率が減少され得る。たとえば、上位レイヤ通信チャネルは、ホストＢＢＵとクライアントＢＢＵとの間で自動的に確立され、それにより、サービス人員の構成作業負荷およびサイトセットアップの複雑さが低減される。
【００３１】
本出願の第１０の態様では、第１のＢＢＵの組立てモジュールは、第４の態様および可能な実装において説明されるステップをさらに実施し得る。詳細については、第４の態様および可能な実装における説明を参照されたい。
【００３２】
第１１の態様によれば、本出願の実施形態は、ＢＢＵをさらに提供する。ＢＢＵは特に第２のＢＢＵであり、第２のＢＢＵは統合アクセスシステムに属する。統合アクセスシステムは第１のＢＢＵをさらに含み、第１のＢＢＵは第２のＢＢＵに接続される。第２のＢＢＵは、第２の回線速度を更新し、各更新の後に、更新された第２の回線速度においてデータフレームを第１のＢＢＵに送るように構成された、回線速度更新モジュールと、第１のＢＢＵが第１の回線速度を更新する各時間の後に、更新された第１の回線速度において第１のＢＢＵによって送られたデータフレームを受信するように構成された、受信モジュールと、第２の回線速度が第１の回線速度に等しいとき、第２のＢＢＵによって、第２の回線速度において第２のＢＢＵのネットワーキング関係情報を第１のＢＢＵに送り、第１の回線速度において第１のＢＢＵによって送られた第１のＢＢＵのネットワーキング関係情報を受信するように構成された、送りモジュールと、第１のＢＢＵの通信アドレスを取得するように構成された、アドレス取得モジュールと、第１のＢＢＵの通信アドレスに基づいて第１のＢＢＵとの双方向上位レイヤ通信チャネルを確立するように構成された、チャネル確立モジュールとを含む。第１のＢＢＵおよび第２のＢＢＵは回線速度オートネゴシエーションを実施し得る。第１のＢＢＵは、第２のＢＢＵに通信アドレスを割り振り、第２のＢＢＵは、第１のＢＢＵの通信アドレスを取得し得る。第１のＢＢＵは、第２のＢＢＵの通信アドレスに基づいて第２のＢＢＵとの双方向上位レイヤ通信チャネルを確立する。回線速度オートネゴシエーション、ネットワーキング関係情報交換、および通信アドレス割振りを通して、上位レイヤ通信チャネルは、手動構成なしに第１のＢＢＵと第２のＢＢＵとの間で自動的に確立され、それにより、手動コストが低減され、エラー確率が減少され得る。
【００３３】
本出願の第１１の態様では、第２のＢＢＵの組立てモジュールは、第５の態様および可能な実装において説明されるステップをさらに実施し得る。詳細については、第５の態様および可能な実装における説明を参照されたい。
【００３４】
第１２の態様によれば、本出願の実施形態は、ＢＢＵをさらに提供する。ＢＢＵは特に第１のＢＢＵであり、第１のＢＢＵは統合アクセスシステムに属する。統合アクセスシステムは、第２のＢＢＵ、第１のデータ交換ユニット、第２の基地局ネットワーク管理サブシステム、および第１のピコリモート無線ユニットｐＲＲＵをさらに含む。第１のＢＢＵは、第２のＢＢＵおよび第１のデータ交換ユニットに別々に接続され、第１のデータ交換ユニットは第１のｐＲＲＵに接続され、第２のＢＢＵは第２の基地局ネットワーク管理サブシステムに接続される。第１のＢＢＵは、第１のデータ交換ユニットに対応するリソースおよび第１のｐＲＲＵに対応するリソースにスライシング処理を実施して、複数のセクタデバイスグループオブジェクトリソースを取得するように構成された、スライシングモジュールと、第２の基地局ネットワーク管理サブシステムのリソース構成要求に基づいて複数のセクタデバイスグループオブジェクトリソースから第１のセクタデバイスグループオブジェクトリソースを選択するように構成された、リソース割振りモジュールと、第１のセクタデバイスグループオブジェクトリソースを第２のＢＢＵに通知するように構成された、通知モジュールとを含む。第１のＢＢＵは、第１のデータ交換ユニットに対応するリソースおよび第１のｐＲＲＵに対応するリソースにスライシング処理を実施して、複数のセクタデバイスグループオブジェクトリソースを取得する。第１のＢＢＵは、第２の基地局ネットワーク管理サブシステムのリソース構成要求に基づいて第２の基地局ネットワーク管理サブシステムに第１のセクタデバイスグループオブジェクトリソースを割り振り、したがって、事業者デバイスは、ＲＨＵＢおよびｐＲＲＵなどの共通リソースを独立して呼び出すことができる。
【００３５】
本出願の第１２の態様では、第１のＢＢＵの組立てモジュールは、第６の態様および可能な実装において説明されるステップをさらに実施し得る。詳細については、第６の態様および可能な実装における説明を参照されたい。
【００３６】
第１３の態様によれば、本出願の実施形態は、ＢＢＵをさらに提供する。ＢＢＵは特に第２のＢＢＵであり、第２のＢＢＵは統合アクセスシステムに属する。統合アクセスシステムは、第１のＢＢＵ、第２のＢＢＵ、第１のデータ交換ユニット、第２の基地局ネットワーク管理サブシステム、および第１のピコリモート無線ユニットｐＲＲＵをさらに含む。第１のＢＢＵは、第２のＢＢＵおよび第１のデータ交換ユニットに別々に接続され、第１のデータ交換ユニットは第１のｐＲＲＵに接続され、第２のＢＢＵは第２の基地局ネットワーク管理サブシステムに接続される。第２のＢＢＵは、第１のＢＢＵによって通知される第１のセクタデバイスグループオブジェクトリソースを取得するように構成された、リソース取得ユニットと、第１のセクタデバイスグループオブジェクトリソースを第２のＢＢＵのベースバンドリソースにバインドし、第１のセクタデバイスグループオブジェクトリソースに対応する物理セルをアクティブにするように構成された、リソース使用モジュールとを含む。第２のＢＢＵは、第１のＢＢＵによって通知される第１のセクタデバイスグループオブジェクトリソースを取得し、第２のＢＢＵは、第１のセクタデバイスグループオブジェクトリソースを第２のＢＢＵのベースバンドリソースにバインドし、第１のセクタデバイスグループオブジェクトリソースに対応する物理セルをアクティブにし、したがって、事業者デバイスは、ＲＨＵＢおよびｐＲＲＵなどの共通リソースを独立して呼び出すことができる。
【００３７】
本出願の第１３の態様では、第２のＢＢＵの組立てモジュールは、第７の態様および可能な実装において説明されるステップをさらに実施し得る。詳細については、第７の態様および可能な実装における説明を参照されたい。
【００３８】
本出願の第１４の態様によれば、コンピュータ可読記憶媒体が提供される。コンピュータ可読記憶媒体は命令を記憶し、命令がコンピュータ上で実行されるとき、コンピュータは、上記の態様の各々による方法を実施することを可能にされる。
【００３９】
本出願の第１５の態様によれば、命令を含むコンピュータプログラム製品が提供される。命令がコンピュータ上で実行されるとき、コンピュータは、上記の態様の各々による方法を実施することを可能にされる。
【図面の簡単な説明】
【００４０】
【図１】従来技術におけるＬａｍｐＳｉｔｅのネットワーキングアーキテクチャの概略図である。
【図２】本出願の実施形態による統合アクセスシステムの組立ての概略構造図である。
【図３】本出願の実施形態による別の統合アクセスシステムの組立ての概略構造図である。
【図４Ａ】本出願の実施形態による統合アクセスシステムのシステムアーキテクチャ配備の概略図である。
【図４Ｂ】本出願の実施形態による統合アクセスシステムのシステムアーキテクチャ配備の概略図である。
【図５】本出願の実施形態による別の統合アクセスシステムの組立ての概略構造図である。
【図６Ａ】本出願の実施形態による別の統合アクセスシステムのシステムアーキテクチャ配備の概略図である。
【図６Ｂ】本出願の実施形態による別の統合アクセスシステムのシステムアーキテクチャ配備の概略図である。
【図６Ｃ】本出願の実施形態による別の統合アクセスシステムのシステムアーキテクチャ配備の概略図である。
【図６Ｄ】本出願の実施形態による別の統合アクセスシステムのシステムアーキテクチャ配備の概略図である。
【図７】本出願の実施形態による統合アクセスシステムに基づく構成方法の概略ブロックフローチャートである。
【図８】本出願の実施形態による統合アクセスシステムに基づく別の構成方法の概略ブロックフローチャートである。
【図９】本出願の実施形態による統合アクセスシステムに基づく別の構成方法の概略ブロックフローチャートである。
【図１０】本出願の実施形態による統合アクセスシステムに基づく別の構成方法の概略ブロックフローチャートである。
【図１１】本出願の実施形態による統合アクセスシステムに基づくリソーススライシングの適用シナリオの概略図である。
【図１２】本出願の実施形態による第１のＢＢＵと第２のＢＢＵとの間のリソース構成シナリオの概略図である。
【図１３】本出願の実施形態による統合アクセスシステムに基づく別の構成方法の概略ブロックフローチャートである。
【図１４】本出願の実施形態による統合アクセスシステムに基づく別の構成方法の概略ブロックフローチャートである。
【図１５】本出願の実施形態による、第１のＢＢＵと第２のＢＢＵとの間で上位レイヤ通信チャネルが構成されるシナリオの概略図である。
【図１６】本出願の実施形態による第１のＢＢＵの組立ての概略構造図である。
【図１７】本出願の実施形態による第２のＢＢＵの組立ての概略構造図である。
【図１８−ａ】本出願の実施形態による別の第１のＢＢＵの組立ての概略構造図である。
【図１８−ｂ】本出願の実施形態による別の第１のＢＢＵの組立ての概略構造図である。
【図１９−ａ】本出願の実施形態による別の第２のＢＢＵの組立ての概略構造図である。
【図１９−ｂ】本出願の実施形態による別の第２のＢＢＵの組立ての概略構造図である。
【図２０】本出願の実施形態による別の第１のＢＢＵの組立ての概略構造図である。
【図２１】本出願の実施形態による別の第２のＢＢＵの組立ての概略構造図である。
【図２２】本出願の実施形態による別の第１のＢＢＵの組立ての概略構造図である。
【図２３】本出願の実施形態による別の第２のＢＢＵの組立ての概略構造図である。
【発明を実施するための形態】
【００４１】
本出願の実施形態は、統合アクセスシステムの内部分離を実装し、統合アクセスシステムの信頼性および保守性を改善するための、統合アクセスシステム、および統合アクセスシステムに基づく構成方法を提供する。
【００４２】
以下で、添付の図面を参照しながら本出願の実施形態について説明する。
【００４３】
本出願の明細書、特許請求の範囲、および添付の図面において、「第１の」、「第２の」などの用語は、同様の対象を区別することを意図されており、特定の順序またはシーケンスを必ずしも示さない。そのような仕方で使用されるそれらの用語は適切な状況において交換可能であり、このことは、同じ属性を有する対象が本出願の実施形態で説明されるときに使用される区別方式にすぎないことを理解されたい。加えて、「含む」、「有する」という用語、およびそれらの任意の他の変形は、非排他的包含をカバーすることを意図され、したがって、一連のユニットを含む処理、方法、システム、製品、またはデバイスは、必ずしもそれらのユニットに限定されず、明確にリストされないかまたはそのような処理、方法、製品、またはデバイスに固有でない他のユニットを含み得る。
【００４４】
詳細な説明が以下で個別に提供される。
【００４５】
本出願の実施形態において提供される統合アクセスシステムは、単一の事業者および複数の事業者が運用および保守を一緒に実施するシナリオに適用可能である。統合アクセスシステムは、事業者による無線周波数（Ｒａｄｉｏ  Ｆｒｅｑｕｅｎｃｙ、ＲＦ）信号ソースの独立した供給をサポートし、将来の大容量および第５世代モバイル通信技術（５ｔｈ−Ｇｅｎｅｒａｔｉｏｎ、５Ｇ）シナリオにおけるデジタル信号ソースの供給をサポートし得る。本出願の実施形態において提供される統合アクセスシステムでは、分散されたＢＢＵが使用され、第１のＢＢＵおよび第２のＢＢＵという、少なくとも２つのタイプのＢＢＵが使用される。したがって、各ＢＢＵは、ＢＢＵのネットワーク管理サブシステムに接続され、それにより、統合アクセスシステム内で分離が実装され得る。図２を参照すると、本出願の実施形態において提供される統合アクセスシステム１００は、第１のＢＢＵ１０１、第２のＢＢＵ１０２、第１のデータ交換ユニット１０３、第１の基地局ネットワーク管理サブシステム１０４、第２の基地局ネットワーク管理サブシステム１０５、および第１のｐＲＲＵ１０６を含み得る。
【００４６】
第１のＢＢＵ１０１は第１のデータ交換ユニット１０３に接続され、第１のＢＢＵ１０１は第１の基地局ネットワーク管理サブシステム１０４に接続され、第１のＢＢＵ１０１は第２のＢＢＵ１０２に接続される。
【００４７】
第２のＢＢＵ１０２は第２の基地局ネットワーク管理サブシステム１０５に接続される。
【００４８】
第１のｐＲＲＵ１０６は第１のデータ交換ユニット１０３に接続される。
【００４９】
本出願のこの実施形態において提供される統合アクセスシステムでは、第１のＢＢＵ１０１および第２のＢＢＵ１０２という、少なくとも２つのタイプのＢＢＵが使用される。第１のＢＢＵ１０１と第２のＢＢＵ１０２は、ファイバーチャネルを通して互いに接続され得る。たとえば、ファイバーチャネルは、ＣＰＲＩチャネルおよびメディアアクセス制御（Ｍｅｄｉａ  Ａｃｃｅｓｓ  Ｃｏｎｔｒｏｌ、ＭＡＣ）チャネルを特に含み得る。第１のＢＢＵ１０１は、運用管理（Ｏｐｅｒａｔｅ  Ｍａｎａｇｅｍｅｎｔ、ＯＭ）チャネルを通して第１の基地局ネットワーク管理サブシステム１０４に接続され得る。第１の基地局ネットワーク管理サブシステム１０４は、第１のＢＢＵを管理するために使用されるネットワーク管理サブシステムである。第１の基地局ネットワーク管理サブシステムは、無線周波数供給機能、第１のデータ交換ユニットに対応するリソースおよび第１のｐＲＲＵに対応するリソースをスライシングする機能、ならびに第１のＢＢＵと第２のＢＢＵとの間のサブラック間接続の機能を提供し得る。第２のＢＢＵ１０２は、ＯＭチャネルを通して第２の基地局ネットワーク管理サブシステム１０５に接続され、事業者は、第２の基地局ネットワーク管理サブシステム１０５を使用することによってベースバンドリソースを構成および管理し得る。
【００５０】
本出願のこの実施形態では、第１のＢＢＵ１０１は、ホストＢＢＵとして働き、建築物中に配設され得、第２のＢＢＵ１０２は、クライアントＢＢＵとして働き、中央機器ルーム中に配設され得る。したがって、ホストＢＢＵおよびクライアントＢＢＵの分散設計が実装され得る。第１のＢＢＵ１０１は第１の基地局ネットワーク管理サブシステム１０４に接続され、無線周波数リソースは、第１の基地局ネットワーク管理サブシステム１０４を使用することによって構成および管理され得る。第２のＢＢＵ１０２は第２の基地局ネットワーク管理サブシステム１０５に接続され、したがって、第２の基地局ネットワーク管理サブシステム１０５は、事業者の要件に従ってベースバンドリソースを構成し得る。ホストＢＢＵおよびクライアントＢＢＵの分散設計を通して、統合アクセスシステム内の分離が実装され得、事業者の運用および保守は、基地局ネットワーク管理サブシステムのみを使用することによって完了され、それにより、統合アクセスシステムの信頼性および保守性が改善されることが可能である。
【００５１】
本出願のいくつかの実施形態では、第１のＢＢＵおよび第２のＢＢＵによってそれらのそれぞれの要件に従って使用される必要がある組立て構造のために、第１のＢＢＵは、無線周波数ボード、インターフェースボード、主制御ボード、および直流（Ｄｉｒｅｃｔ  Ｃｕｒｒｅｎｔ、ＤＣ）を含み得、第２のＢＢＵは、ベースバンドボード、主制御ボード、およびＤＣを含み得る。第１のＢＢＵのインターフェースボードは、第１のデータ交換ユニット、第２のＢＢＵのベースバンドボードに別々に接続され得る。第１のＢＢＵの主制御ボードは第１の基地局ネットワーク管理サブシステムに接続され得る。第２のＢＢＵの主制御ボードは第２の基地局ネットワーク管理サブシステムに接続され得る。本出願のいくつかの他の実施形態では、ベースバンドボードに加えて、主制御ボード、ＤＣ、第２のＢＢＵは、インターフェースボードを含み得る。この場合、第１のＢＢＵのインターフェースボードは第２のＢＢＵのインターフェースボードに接続され得る。
【００５２】
本出願のいくつかの実施形態では、第１のＢＢＵ１０１と第１のデータ交換ユニット１０３は、ファイバーチャネルを通して互いに接続され得ることに留意されたい。ファイバーチャネルは、ＣＰＲＩチャネルおよびＭＡＣチャネルを特に含み得る。第１のデータ交換ユニット１０３は特にリモートＣＰＲＩデータ交換ユニットであり得、これは、後続の実施形態において「ＲＨＵＢ」と呼ばれることもある。ＲＨＵＢは、第１のＢＢＵ１０１と第１のｐＲＲＵ１０６との間の通信を実装し得、第１のｐＲＲＵ１０６は無線周波数信号処理機能を実装する。
【００５３】
本出願のいくつかの実施形態では、図３を参照すると、統合アクセスシステム１００は、第３のＢＢＵ１０７および第３の基地局ネットワーク管理サブシステム１０８をさらに含む。
【００５４】
第１のＢＢＵ１０１は第３のＢＢＵ１０７に接続される。
【００５５】
第３のＢＢＵ１０７は第３の基地局ネットワーク管理サブシステム１０８に接続される。
【００５６】
第１のＢＢＵ１０１と第３のＢＢＵ１０７は、ファイバーチャネルを通して互いに接続され得る。たとえば、ファイバーチャネルは、ＣＰＲＩチャネルおよびＭＡＣチャネルを特に含み得る。第３のＢＢＵ１０７は、ＯＭチャネルを通して第３の基地局ネットワーク管理サブシステム１０８に接続され得、事業者は、第３の基地局ネットワーク管理サブシステム１０８を使用することによってベースバンドリソースを構成および管理し得る。
【００５７】
本出願の上記の実施形態では、統合アクセスシステム１００において、第１のＢＢＵ１０１はホストＢＢＵとして配設され、第２のＢＢＵ１０２と第３のＢＢＵ１０７の両方がクライアントＢＢＵとして配設される。加えて、第２のＢＢＵ１０２および第３のＢＢＵ１０７は、それぞれの基地局ネットワーク管理サブシステムに接続される。たとえば、第２のＢＢＵ１０２は第２の基地局ネットワーク管理サブシステム１０５に接続され、第３のＢＢＵ１０７は第３の基地局ネットワーク管理サブシステム１０８に接続される。したがって、複数の事業者がネットワークを一緒に確立し、確立の後にネットワークリソースを共有するシナリオにおいて、それらの異なる事業者は、第２の基地局ネットワーク管理サブシステムおよび第３の基地局ネットワーク管理サブシステムを別々に使用し、それにより、それらの複数の事業者間でアセット分離、運用および保守分離、ならびにサービスアクティブ化およびアップグレード分離を実装し得る。統合アクセスシステム１００中に含まれるクライアントＢＢＵは、第２のＢＢＵおよび第３のＢＢＵに限定されなくてよい。複数のクライアントＢＢＵが、ファイバーチャネルを通して統合アクセスシステム中の第１のＢＢＵ（すなわち、ホストＢＢＵ）に接続されるとき、各クライアントＢＢＵは、１つの基地局ネットワーク管理サブシステムに接続され得る。それらの異なる事業者の各々は、１つの基地局ネットワーク管理サブシステムを使用し得、事業者は分離され、したがって、事業者は互いに干渉しない。
【００５８】
図５は、本出願の実施形態による統合アクセスシステムのシステムアーキテクチャ配備の概略図である。統合アクセスシステム中に１つのホストＢＢＵおよび３つのクライアントＢＢＵ（クライアントＢＢＵ１、クライアントＢＢＵ２、およびクライアントＢＢＵ３）が配設される。ホストＢＢＵは、リモートエンドにおいて建築物中に配設され、３つのクライアントＢＢＵは、ローカルエンドにおいて中央機器ルーム中に配設される。ホストＢＢＵは、無線周波数ボードＲ、インターフェースボード、主制御ボード、およびＤＣを含む。ホストＢＢＵのインターフェースボードは、３つのクライアントＢＢＵのベースバンドボードに別々に接続され、ホストＢＢＵのインターフェースボードは、ＣＰＲＩチャネルおよびＭＡＣチャネルを通してＲＨＵＢにさらに接続される。ＲＨＵＢは、ＣＰＲＩチャネルの電気的インターフェース（ＣＰＲＩ−Ｅインターフェースとも呼ばれる）を通してまたはＭＡＣチャネルの電気的インターフェースを通してｐＲＲＵに接続される。ホストＢＢＵの主制御ボードは、（図５ではＢＴＳ（Ｒ）に省略されている）屋内分散ユニファイドネットワーク管理サブシステムに接続される。ホストＢＢＵの無線周波数ボードＲはリモート無線ユニット（Ｒｅｍｏｔｅ  Ｒａｄｉｏ  Ｕｎｉｔ、ＲＲＵ）に接続される。たとえば、図５では統合アクセスシステム中に３つのＲＲＵがさらに配設される。３つのＲＲＵは、それぞれＲＲＵ−Ａ、ＲＲＵ−Ｂ、およびＲＲＵ−Ｃである。各ＲＲＵは、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ）、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、ロングタームエボリューション（Ｌｏｎｇ  Ｔｅｒｍ  Ｅｖｏｌｕｔｉｏｎ、ＬＴＥ）、および符号分割多元接続（Ｃｏｄｅ  Ｄｉｖｉｓｉｏｎ  Ｍｕｌｔｉｐｌｅ  Ａｃｃｅｓｓ、ＣＤＭＡ）、すなわち、図５に示されている「Ｇ／Ｕ／Ｌ／Ｃ」をサポートする。各クライアントＢＢＵは、ベースバンドボードおよび主制御ボードを含む。クライアントＢＢＵのベースバンドボードはホストＢＢＵのインターフェースボードに接続される。クライアントＢＢＵの主制御ボードは、（図５ではＢＴＳ（ＵＬ）に省略されている）ベースバンドネットワーク管理サブシステムに接続される。たとえば、クライアントＢＢＵ１の主制御ボードは、ＯＭチャネルを通して基地局ネットワーク管理サブシステムに接続され、事業者Ａは、基地局ネットワーク管理サブシステムを使用することによってベースバンドリソースを構成および管理し得る。クライアントＢＢＵ２は、ＯＭチャネルを通して基地局ネットワーク管理サブシステムに接続され、事業者Ｂは、基地局ネットワーク管理サブシステムを使用することによってベースバンドリソースを構成および管理し得る。クライアントＢＢＵ３は、ＯＭチャネルを通して基地局ネットワーク管理サブシステムに接続され、事業者Ｃは、基地局ネットワーク管理サブシステムを使用することによってベースバンドリソースを構成および管理し得る。本出願のこの実施形態では、��数のクライアントＢＢＵは、複数の事業者が異なるＢＢＵにアクセスするように、ホストＢＢＵにおいて集約されることが可能である。これは、事業者間の運用および保守分離の問題を解決し、将来の大容量展開および５Ｇ展開シナリオに適用可能である。
【００５９】
本出願のいくつかの実施形態では、図５を参照すると、統合アクセスシステムは、第４のＢＢＵ１０９、第２のデータ交換ユニット１１０、第４の基地局ネットワーク管理サブシステム１１１、および第２のｐＲＲＵ１１２をさらに含む。
【００６０】
第４のＢＢＵ１０９は第２のデータ交換ユニット１１０に接続され、第４のＢＢＵ１０９は第４の基地局ネットワーク管理サブシステム１１１に接続され、第４のＢＢＵ１０９は第２のＢＢＵ１０２に接続される。
【００６１】
第２のｐＲＲＵ１１２は第２のデータ交換ユニット１１０に接続される。
【００６２】
統合アクセスシステムにおいて、第１のＢＢＵ１０１と第４のＢＢＵ１０９の両方がホストＢＢＵとして働き得る。たとえば、第１のＢＢＵ１０１および第４のＢＢＵ１０９は、異なる建築物中に配設され得る。第１のＢＢＵ１０１および第４のＢＢＵ１０９は、異なるファイバーチャネルを通して第２のＢＢＵ１０２に別々に接続され得る。第２のＢＢＵ１０２は、クライアントＢＢＵと複数のホストＢＢＵとの間のサブラック間接続をサポートするために、中央機器ルーム中に配設され得、それにより、１つの中央機器ルームは複数の周囲の建築物をカバーする。
【００６３】
本出願の上記の実施形態では、複数の事業者が統合アクセスシステムにアクセスする必要がある場合、各事業者は、１つのクライアントＢＢＵおよび１つの基地局ネットワーク管理サブシステムを使用することができることに留意されたい。複数のホストＢＢＵがあるとき、各ホストＢＢＵはすべてのクライアントＢＢＵに接続されることが可能である。接続方式については、第１のＢＢＵ１０１および第４のＢＢＵ１０９が第２のＢＢＵ１０２に別々に接続される方式を参照されたい。
【００６４】
図６Ａ、図６Ｂ、図６Ｃ、および図６Ｄは、本出願の実施形態による別の統合アクセスシステムのシステムアーキテクチャ配備の概略図である。統合アクセスシステム中に３つのホストＢＢＵおよび３つのクライアントＢＢＵ（クライアントＢＢＵ１、クライアントＢＢＵ２、およびクライアントＢＢＵ３）が配設される。ホストＢＢＵ０は、リモートエンドにおいて建築物０中に配設され、ホストＢＢＵ１は、リモートエンドにおいて建築物１中に配設され、ホストＢＢＵ２は、リモートエンドにおいて建築物２中に配設される。３つのクライアントＢＢＵは、ローカルエンドにおいて中央機器ルーム中に配設される。建築物０中に配設されたホストＢＢＵが例として使用される。ホストＢＢＵは、無線周波数ボードＲ、インターフェースボード、主制御ボード、およびＤＣを含む。ホストＢＢＵのインターフェースボードは、３つのクライアントＢＢＵのベースバンドボードに別々に接続され、ホストＢＢＵのインターフェースボードは、ＣＰＲＩチャネルおよびＭＡＣチャネルを通してＲＨＵＢにさらに接続される。ＲＨＵＢは、ＣＰＲＩ−ＥインターフェースまたはＭＡＣチャネルの電気的インターフェースを通してｐＲＲＵに接続される。ホストＢＢＵの主制御ボードは、（図５ではＢＴＳ（Ｒ）に省略されている）屋内分散ユニファイドネットワーク管理サブシステムに接続される。ホストＢＢＵの無線周波数ボードＲはＲＲＵに接続される。たとえば、図６では統合アクセスシステム中に３つのＲＲＵがさらに配設される。３つのＲＲＵは、それぞれＲＲＵ−Ａ、ＲＲＵ−Ｂ、およびＲＲＵ−Ｃである。図６に示されているように、統合アクセスシステム中に複数のホストＢＢＵまたは複数のクライアントＢＢＵが配設され得る。したがって、クライアントＢＢＵと複数のホストＢＢＵとの間のサブラック間接続がサポートされ得、それにより、１つの中央機器ルームは複数の周囲建築物をカバーする。
【００６５】
本出願の実施形態において提供される統合アクセスシステムの組立て構造の説明から、統合アクセスシステムは、第１のＢＢＵおよび第２のＢＢＵという、２つのタイプのＢＢＵを含むことがわかる。第１のＢＢＵと第２のＢＢＵは、互いに通信するために接続される。加えて、第１のＢＢＵは第１の基地局ネットワーク管理サブシステムに接続され、第２のＢＢＵは第２の基地局ネットワーク管理サブシステムに接続される。したがって、第１のＢＢＵの無線周波数リソースは、第１の基地局ネットワーク管理サブシステムを使用することによって別々に構成および管理され得、第２のＢＢＵのベースバンドリソースは、第２の基地局ネットワーク管理サブシステムを使用することによって別々に構成および管理され得る。このようにして、無線周波数リソースおよびベースバンドリソースは独立して管理されることが可能であり、統合アクセスシステムの信頼性および保守性は大幅に改善される。
【００６６】
本出願の実施形態において提供される統合アクセスシステムについて、上記の実施形態において説明された。統合アクセスシステムに基づく構成方法について以下で説明される。本方法は、統合アクセスシステムにおいてクロック構成を実装するために使用され得る。本出願の実施形態において提供される構成方法は統合アクセスシステムに適用可能である。図２に示されているように、統合アクセスシステムは、第１のＢＢＵおよび第２のＢＢＵを含む。第１のＢＢＵは第２のＢＢＵに接続される。たとえば、第１のＢＢＵと第２のＢＢＵは、ファイバーチャネルを通して互いに接続される。図７に示されているように、本出願のこの実施形態において提供される構成方法は以下のステップを含み得る。
【００６７】
７０１．第１のＢＢＵが第１のクロック同期情報を取得し、第１のクロック同期情報は、第１のＢＢＵのクロック周波数およびクロック位相を含む。
【００６８】
７０２．第１のＢＢＵが第１のクロック同期情報を第２のＢＢＵに送る。
【００６９】
第１のＢＢＵはホストＢＢＵとして働き、第１のＢＢＵは、第２のＢＢＵに基準クロックを提供する必要がある。第２のＢＢＵは、第１のＢＢＵによって提供される基準クロックに基づいて第２のＢＢＵのローカルクロックを補正し、それにより、ＢＢＵ間でサブラック間クロック同期を実装し得る。第１のＢＢＵは、ローカルクロックソースから第１のＢＢＵのクロック周波数およびクロック位相を取得し得、次いで、第１のＢＢＵは、第１のクロック同期情報を第２のＢＢＵに送る。加えて、第１のＢＢＵは、クロックサーバと対話し、クロックサーバからクロック周波数およびクロック位相を取得し得る。次いで、第１のＢＢＵは、クロック周波数およびクロック位相に基づいて第１のＢＢＵのローカルクロックソースを補正し、たとえば、位相ロックループ（Ｐｈａｓｅ−Ｌｏｃｋｅｄ  Ｌｏｏｐ、ＰＬＬ）を使用することによってフィードバック制御を実施し、クロックサーバによって提供される外部基準信号を使用することによってループ中のクロック信号の周波数および位相を制御し得る。第１のＢＢＵと第２のＢＢＵは、ファイバーチャネルを通して互いに接続され得、ファイバーチャネルは、ＣＰＲＩチャネルおよびＭＡＣチャネルを特に含み得る。第１のＢＢＵは、ＣＰＲＩフレームに第１のクロック同期情報を追加し、次いで、ＣＰＲＩチャネルを通してＣＰＲＩフレームを第２のＢＢＵに送り得る。代替として、第１のＢＢＵは、ＭＡＣチャネルに第１のクロック同期情報を追加し、次いで、ＭＡＣチャネルを通してＭＡＣフレームを第２のＢＢＵに送り得る。
【００７０】
本出願のいくつかの実施形態では、図３を参照すると、統合アクセスシステムは第３のＢＢＵをさらに含み、第３のＢＢＵは第１のＢＢＵに接続される。この実装シナリオでは、統合アクセスシステムに基づく構成方法は以下のステップをさらに含み得る。
【００７１】
Ａ１．第１のＢＢＵが第１のクロック同期情報を第３のＢＢＵに送る。
【００７２】
第１のＢＢＵがホストＢＢＵとして２つのクライアントＢＢＵに接続されたとき、第１のＢＢＵが第１のクロック同期情報を取得した後に、第１のＢＢＵは、第１のクロック同期情報を第２のＢＢＵおよび第３のＢＢＵに別々に送り得、したがって、第３のＢＢＵは、クライアントＢＢＵとして、第１のＢＢＵの第１のクロック同期情報を受信することもできる。第３のＢＢＵは、第１のクロック同期情報を使用して第３のＢＢＵのローカルクロックソースを補正し、それにより、ＢＢＵ間でサブラック間クロック同期を実装し得る。
【００７３】
本出願の上記の実施形態では、クロック同期処理は第１のＢＢＵ側から説明されていることに留意されたい。第４のＢＢＵによって実施される方法は、第１のＢＢＵによって実施される方法と同様であることが理解されよう。第４のＢＢＵは第２のクロック同期情報を生成し得、次いで、第４のＢＢＵは第２のクロック同期情報を第２のＢＢＵに送る。第２のクロック同期情報は、第４のＢＢＵのクロック周波数およびクロック位相を含む。
【００７４】
図７に示されているクロック構成処理の例示的な説明から、第１のＢＢＵは、第１のクロック同期情報を第２のＢＢＵに送り得、したがって、第２のＢＢＵは、第１のクロック同期情報に基づいて第２のＢＢＵのローカルクロック情報を構成し、それにより、ＢＢＵ間でサブラック間クロック同期を実装することができることがわかる。たとえば、ＢＢＵモードが構成される。基地局ネットワーク管理サブシステムのＯＭチャネルを通して、第１のＢＢＵはホストＢＢＵモードとして構成され得、第２のＢＢＵはクライアントＢＢＵモードとして構成され得る。複数のＢＢＵのサブラック間集約がサポートされ、したがって、複数の事業者は異なるＢＢＵにアクセスし、それにより、事業者間の運用および保守分離の問題を解決し、ＢＢＵアクセスに基づく将来の大容量展開を実装する。加えて、本出願のこの実施形態では、複数のホストＢＢＵと複数のクライアントＢＢＵとの間のサブラック間接続がサポートされ、それにより、１つの中央機器ルームは複数の周囲の建築物をカバーする。
【００７５】
統合アクセスシステムに基づく構成方法について、上記の実施形態では第１のＢＢＵ側から説明されており、本出願の実施形態において提供される統合アクセスシステムに基づく構成方法について、以下では第２のＢＢＵ側から説明される。本方法は、統合アクセスシステムにおいてクロック構成を実装するために使用され得る。本出願の実施形態において提供される構成方法は統合アクセスシステムに適用可能である。図２に示されているように、統合アクセスシステムは、第１のＢＢＵおよび第２のＢＢＵを含む。第１のＢＢＵは第２のＢＢＵに接続される。たとえば、第１のＢＢＵと第２のＢＢＵは、ファイバーチャネルを通して互いに接続される。図８に示されているように、本出願のこの実施形態において提供される構成方法は以下のステップを含み得る。
【００７６】
８０１．第２のＢＢＵが、第１のＢＢＵによって送られた第１のクロック同期情報を受信し、第１のクロック同期情報は、第１のＢＢＵのクロック周波数およびクロック位相を含む。
【００７７】
第２のＢＢＵと第１のＢＢＵは、ファイバーチャネルを通して互いに接続される。第１のＢＢＵは第１のクロック同期情報を第２のＢＢＵに送る。第２のＢＢＵは、ファイバーチャネルを通して第１のクロック同期情報を受信し得、第２のＢＢＵは、第１のクロック同期情報をパースして第１のＢＢＵのクロック周波数およびクロック位相を取得し得る。
【００７８】
８０２．第２のＢＢＵが、第１のクロック同期情報に基づいて第２のＢＢＵのローカルクロック情報を構成する。
【００７９】
第２のＢＢＵが第１のＢＢＵから第１のクロック同期情報を取得した後に、第２のＢＢＵは、基準クロックソースとして第１のＢＢＵのクロック周波数およびクロック位相を使用することによって第２のＢＢＵのローカルクロック情報を補正する。たとえば、第２のＢＢＵは、ＰＬＬを使用することによってフィードバック制御を実施し、第１のＢＢＵによって提供される外部基準信号を使用することによってループ中のクロック信号の周波数および位相を制御し得る。
【００８０】
本出願のいくつかの実施形態では、統合アクセスシステムは第４のＢＢＵをさらに含み、第４のＢＢＵは第２のＢＢＵに接続される。第４のＢＢＵによって実施される方法について、本出願の上記の実施形態において説明されている。第４のＢＢＵは第２のクロック同期情報を生成し得、次いで、第４のＢＢＵは第２のクロック同期情報を第２のＢＢＵに送る。第２のクロック同期情報は、第４のＢＢＵのクロック周波数およびクロック位相を含む。このシナリオでは、上記のステップに加えて、本出願のこの実施形態における提供される構成方法は以下のステップを含む。
【００８１】
Ｂ１．第２のＢＢＵが、第４のＢＢＵによって送られた第２のクロック同期情報を受信し、第２のクロック同期情報は、第４のＢＢＵのクロック周波数およびクロック位相を含む。
【００８２】
第１のクロック同期情報を受信することに加えて、第２のＢＢＵは、第４のＢＢＵの第２のクロック同期情報を受信する。第２のＢＢＵは、第２のクロック同期情報をパースして、第４のＢＢＵのクロック周波数およびクロック位相を取得し得る。第２のＢＢＵと第４のＢＢＵの両方がホストＢＢＵとして働くとき、第２のＢＢＵおよび第４のＢＢＵは、クライアントＢＢＵとして働いている第２のＢＢＵにクロック同期情報を別々に送り得、第２のＢＢＵは、第１のＢＢＵのクロック周波数およびクロック位相、ならびに第４のＢＢＵのクロック周波数およびクロック位相を別々に取得し得る。
【００８３】
ステップＢ１が実施される実装シナリオでは、第２のＢＢＵが第１のクロック同期情報に基づいて第２のＢＢＵのローカルクロック情報を構成するステップ８０２は以下のステップを含む。
【００８４】
Ｃ１．第２のＢＢＵが、第１のクロック同期情報および第２のクロック同期情報に基づいて第２のＢＢＵのローカルクロック情報を構成する。
【００８５】
第２のＢＢＵが第１のクロック同期情報および第２のクロック同期情報を別々に取得するとき、第２のＢＢＵは、第１のＢＢＵのクロック周波数およびクロック位相、ならびに第４のＢＢＵのクロック周波数およびクロック位相を取得し得る。第２のＢＢＵは、これら２つのホストＢＢＵのクロック同期情報を使用することによって第２のＢＢＵのローカルクロック情報を判定する。第２のＢＢＵは、複数の方式でローカルクロック情報を構成し得る。たとえば、第２のＢＢＵが第１のクロック同期情報および第２のクロック同期情報に基づいて第２のＢＢＵのローカルクロック情報を構成するステップＣ１は以下のステップを含む。
【００８６】
Ｃ１１．第２のＢＢＵが、第１のクロック同期情報および第２のクロック同期情報から、より高いクロック品質をもつクロック同期情報を選択し、より高いクロック品質をもつクロック同期情報に基づいて第２のＢＢＵのローカルクロック情報を構成する。
【００８７】
第２のＢＢＵは、第１のＢＢＵおよび第４のＢＢＵによって第２のＢＢＵに別々に送られたクロック同期情報から、より高いクロック品質をもつクロック同期情報を選択し、より高いクロック品質をもつクロック同期情報に基づいて第２のＢＢＵのローカルクロック情報を構成し得る。クロック品質は、クロックソースのクロック信号品質である。クロック品質は、クロックソースの安定性によって測定されるか、クロックソースの精度によって測定されるか、クロックソースの安定性および精度によって測定され得る。クロックソースは、安定性および精度という、２つの重要なインジケータを有する。精度は、公称値からの偏差を指し、安定性は、外部ファクタが変化するにつれて生成される変化量を指す。たとえば、より高い安定性および精度は、クロックソースのより高いクロック品質を示す。本出願のいくつかの実施形態では、第２のＢＢＵが第１のクロック同期情報および第２のクロック同期情報に基づいて第２のＢＢＵのローカルクロック情報を構成するとき、上記の例示的な説明は限定のために意図されておらず、第２のＢＢＵは、第１のクロック同期情報および第２のクロック同期情報から、より高い安定性をもつクロック同期情報を選択し、より高い安定性をもつクロック同期情報に基づいて第２のＢＢＵのローカルクロック情報を構成し得る。より高い安定性をもつクロック同期情報は第２のＢＢＵのローカルクロック情報として選択され、それにより、第２のＢＢＵのクロック安定性は保証され得る。
【００８８】
図８に示されているクロック構成処理の例示的な説明から、第１のＢＢＵは、第１のクロック同期情報を第２のＢＢＵに送り得、したがって、第２のＢＢＵは、第１のクロック同期情報に基づいて第２のＢＢＵのローカルクロック情報を構成し、それにより、ＢＢＵ間でサブラック間クロック同期を実装することができることがわかる。
【００８９】
図７および図８に示されているクロック構成処理について、例を使用することによって以下で説明される。図４を参照すると、説明のための例としてホストＢＢＵとクライアントＢＢＵとの間のクロック同期が使用される。本出願のこの実施形態では、パネルＣＰＲＩ相互接続に基づくサブラック間クロックソフト同期が実装され得る。具体的には、ホストＢＢＵは、ＣＰＲＩフレームまたはＭＡＣフレームを使用することによってサブラック間ファイバーを通してホストＢＢＵのクロック周波数および位相情報をクライアントＢＢＵに転送する。ＢＢＵのためのモードが最初に選択される。第１のＢＢＵのモードはホスト（Ｈｏｓｔ）ＢＢＵモードとして構成され、第２のＢＢＵのモードはクライアント（Ｃｌｉｅｎｔ）ＢＢＵモードとして構成される。本出願のこの実施形態において提供される統合アクセスシステムでは、ＢＢＵは、基地局ネットワーク管理サブシステムのＯＭチャネルを通してホストＢＢＵまたはクライアントＢＢＵとして構成され得る。
【００９０】
ホストＢＢＵを構成するために屋内分散ユニファイドネットワーク管理サブシステムが使用される。ホストＢＢＵは、ホストＢＢＵのローカルクロックソースからクロックを取得し、相互接続ファイバー（すなわち、ＣＰＲＩチャネルまたはＭＡＣチャネル）を通してクロック同期情報を他のクライアントＢＢＵにブロードキャストする。ＢＢＵがクライアントＢＢＵとして構成されたとき、クライアントＢＢＵは、相互接続ファイバー（すなわち、ＣＰＲＩチャネルまたはＭＡＣチャネル）からクロックを復元する。クライアントＢＢＵは、クライアントＢＢＵの基準クロックソースとして、復元されたクロックを使用して、サブラック間クロック同期を実装する。
【００９１】
本出願の実施形態において提供される統合アクセスシステムについて、上記の実施形態において説明された。統合アクセスシステムに基づく構成方法について以下で説明される。本方法は、統合アクセスシステムにおいて上位レイヤ通信チャネルを確立するために使用され得る。本出願の実施形態では、上位レイヤ通信チャネルは、手動構成なしにホストＢＢＵとクライアントＢＢＵとの間で自動的に確立され、それにより、手動コストが低減され、エラー確率が減少され得る。本出願の実施形態において提供される構成方法は統合アクセスシステムに適用可能である。図２に示されているように、統合アクセスシステムは、第１のＢＢＵおよび第２のＢＢＵを含む。第１のＢＢＵは第２のＢＢＵに接続される。たとえば、第１のＢＢＵと第２のＢＢＵは、ファイバーチャネルを通して互いに接続される。図９に示されているように、本出願のこの実施形態において提供される構成方法は以下のステップを含み得る。
【００９２】
９０１．第１のＢＢＵが、第１の回線速度を更新し、各更新の後に、更新された第１の回線速度においてデータフレームを第２のＢＢＵに送る。
【００９３】
第１のＢＢＵによって使用される回線速度は「第１の回線速度」として定義され、第２のＢＢＵによって使用される回線速度は「第２の回線速度」として定義される。回線速度は、物理レイヤチャネルの回線速度である。第１のＢＢＵは、第１の回線速度を絶えず更新し、すなわち、第１のＢＢＵは、第１の回線速度の速度値を更新し、各更新の後に、更新された第１の回線速度においてデータフレームを第２のＢＢＵに送る。同様に、第２のＢＢＵは、第２の回線速度を絶えず更新し、すなわち、第２のＢＢＵは、第２の回線速度の速度値を更新し、各更新の後に、第２の回線速度に基づく更新されたデータフレームを第１のＢＢＵに送る。
【００９４】
本出願のいくつかの実施形態では、第１のＢＢＵが第１の回線速度を更新するステップ９０１は以下のステップを含む。
【００９５】
Ｄ１．第１のＢＢＵが、第１の期間に基づいて第１の回線速度を更新し、第１の期間と第２の期間は異なる期間であり、第２の期間は、第２のＢＢＵが第２の回線速度をそれに基づいて更新する期間である。
【００９６】
第１のＢＢＵと第２のＢＢＵの両方が、それぞれの期間に基づいてそれぞれの回線速度値を更新し、第１の期間と第２の期間は異なる期間である。したがって、第１の期間および第２の期間中に、より長い期間およびより短い期間が必ずある。第１のＢＢＵおよび第２のＢＢＵは、第１のＢＢＵと第２のＢＢＵとの間でブラインド回線速度マッチングを試みるために、それぞれの回線速度を周期的に更新し、それにより、手動構成を実施するために手動リソースを占有することなしに回線速度オートネゴシエーションを実装する。
【００９７】
９０２．第２のＢＢＵが第２の回線速度を更新する各時間の後に、第１のＢＢＵが、更新された第２の回線速度において第２のＢＢＵによって送られたデータフレームを受信する。
【００９８】
各更新の後に、第２のＢＢＵは、第２の回線速度に基づく更新されたデータフレームを第１のＢＢＵに送る。したがって、第２のＢＢＵは、第２の回線速度に基づくデータフレームをファイバーチャネルを通して第１のＢＢＵに絶えず送り、第１のＢＢＵは、第２の回線速度に基づき、第２のＢＢＵによって絶えず送られるデータフレームを受信する。第１のＢＢＵは、送られる第１の回線速度が、受信される第２の回線速度に等しいかどうかを判定する必要がある。これら２つの回線速度が等しい場合、後続のステップ９０３がトリガされるか、またはこれら２つの回線速度が等しくない場合、ステップ９０１およびステップ９０２が実施され続ける。
【００９９】
９０３．第１の回線速度が第２の回線速度に等しいとき、第１のＢＢＵが、第１の回線速度において第１のＢＢＵのネットワーキング関係情報を第２のＢＢＵに送り、第２の回線速度において第２のＢＢＵによって送られた第２のＢＢＵのネットワーキング関係情報を受信する。
【０１００】
第１のＢＢＵによって送られる第１の回線速度が、受信される第２の回線速度に等しいとき、それは、第１のＢＢＵと第２のＢＢＵとの間の速度ネゴシエーションが完了したことを示す。この場合、第１のＢＢＵは、第１の回線速度において第１のＢＢＵのネットワーキング関係情報を第２のＢＢＵに送り、第２の回線速度において第２のＢＢＵによって送られた第２のＢＢＵのネットワーキング関係情報を受信し得る。第１のＢＢＵのネットワーキング関係情報は、第１のＢＢＵに接続されたＢＢＵの量、および第１のＢＢＵに接続されたインターフェースボード上のポートである。第２のＢＢＵのネットワーキング関係情報は、第２のＢＢＵに接続されたＢＢＵの量、および第２のＢＢＵに接続されたベースバンドボードまたはインターフェースボード上のポートである。第１のＢＢＵと第２のＢＢＵは、それぞれのネットワーキング関係情報を交換し、したがって、第１のＢＢＵおよび第２のＢＢＵはそれぞれ、ＢＢＵのネットワーキング関係情報に基づいてネットワークトポロジー図を生成することができる。複数のＢＢＵ間のサブラック間接続関係は、ネットワークトポロジー図を使用することによって好都合に取得され得る。
【０１０１】
本出願のいくつかの実施形態では、第１の回線速度が第２の回線速度に等しいとき、ステップ９０３に加えて、本出願のこの実施形態において提供される方法は以下のステップを含み得る。
【０１０２】
Ｅ１．第１のＢＢＵが、第１の回線速度において第１のＢＢＵの回線速度能力情報を第２のＢＢＵに送る。
【０１０３】
Ｅ２．第１のＢＢＵが、第２の回線速度において第２のＢＢＵによって送られた第２のＢＢＵの回線速度能力情報を受信する。
【０１０４】
Ｅ３．第１のＢＢＵが、第１のＢＢＵの回線速度能力情報および第２のＢＢＵの回線速度能力情報に基づいて、第１のＢＢＵと第２のＢＢＵとの間で物理レイヤ通信を実施するために使用される回線速度を判定する。
【０１０５】
回線速度能力情報は、物理レイヤチャネル上でのＢＢＵの最大送信能力である。第１のＢＢＵおよび第２のＢＢＵは、それぞれの回線速度能力情報を交換し、次いで、第１のＢＢＵの回線速度能力情報および第２のＢＢＵの回線速度能力情報に基づいて、第１のＢＢＵと第２のＢＢＵとの間で物理レイヤ通信を実施するために使用される回線速度を判定する。たとえば、手動構成を実施するために手動リソースを占有することなしに回線速度オートネゴシエーションを実装するために、第１のＢＢＵと第２のＢＢＵとの間で物理レイヤ通信を実施するために使用される回線速度として、第１のＢＢＵの回線速度能力情報と第２のＢＢＵの回線速度能力情報の交差セット中の最大回線速度が選択され得る。
【０１０６】
９０４．第１のＢＢＵが、第２のＢＢＵのネットワーキング関係情報に基づいて第２のＢＢＵに通信アドレスを割り振り、第１のＢＢＵの通信アドレスを第２のＢＢＵに送る。
【０１０７】
本出願のこの実施形態では、第１のＢＢＵと第２のＢＢＵがそれぞれのネットワーキング関係情報を交換した後に、第１のＢＢＵは、第２のＢＢＵのネットワーキング関係情報に基づいて第２のＢＢＵに通信アドレスを割り振り、第１のＢＢＵの通信アドレスを第２のＢＢＵに送り、したがって、第２のＢＢＵは、第１のＢＢＵの通信アドレスを取得することができる。通信アドレスは、ＢＢＵのロケーションのロケーション識別子であり得る。
【０１０８】
９０５．第１のＢＢＵが、第２のＢＢＵの通信アドレスに基づいて第２のＢＢＵとの双方向上位レイヤ通信チャネルを確立する。
【０１０９】
第１のＢＢＵは第２のＢＢＵに通信アドレスを割り振り、第１のＢＢＵは第２のＢＢＵの通信アドレスを取得し得、第２のＢＢＵも第１のＢＢＵの通信アドレスを取得し得、したがって、これら２つのＢＢＵ間で双方向上位レイヤ通信チャネルが確立され得る。上位レイヤ通信チャネルは、第１のＢＢＵと第２のＢＢＵとの間の相互通信のために使用され得る。たとえば、第１のＢＢＵは、上位レイヤ通信チャネルに基づいて第２のＢＢＵにリソースを割り振る。
【０１１０】
図９に示されている上位レイヤ通信チャネル確立処理の例示的な説明から、第１のＢＢＵおよび第２のＢＢＵは回線速度オートネゴシエーションを実施し得ることがわかる。第１のＢＢＵは、第２のＢＢＵに通信アドレスを割り振り、第２のＢＢＵは、第１のＢＢＵの通信アドレスを取得し得る。第１のＢＢＵは、第２のＢＢＵの通信アドレスに基づいて第２のＢＢＵとの双方向上位レイヤ通信チャネルを確立する。回線速度オートネゴシエーション、ネットワーキング関係情報交換、および通信アドレス割振りを通して、上位レイヤ通信チャネルは、手動構成なしに第１のＢＢＵと第２のＢＢＵとの間で自動的に確立され、それにより、手動コストが低減され、エラー確率が減少され得る。たとえば、上位レイヤ通信チャネルは、ホストＢＢＵとクライアントＢＢＵとの間で自動的に確立され、それにより、サービス人員の構成作業負荷およびサイトセットアップの複雑さが低減される。
【０１１１】
統合アクセスシステムに基づく構成方法について、上記の実施形態では第１のＢＢＵ側から説明されており、統合アクセスシステムに基づく構成方法について、以下では第２のＢＢＵ側から説明される。本方法は、統合アクセスシステムにおいて上位レイヤ通信チャネルを確立するために使用され得る。本出願の実施形態では、上位レイヤ通信チャネルは、手動構成なしにホストＢＢＵとクライアントＢＢＵとの間で自動的に確立され、それにより、手動コストが低減され、エラー確率が減少され得る。本出願の実施形態において提供される構成方法は統合アクセスシステムに適用可能である。図２に示されているように、統合アクセスシステムは、第１のＢＢＵおよび第２のＢＢＵを含む。第１のＢＢＵは第２のＢＢＵに接続される。たとえば、第１のＢＢＵと第２のＢＢＵは、ファイバーチャネルを通して互いに接続される。図１０に示されているように、本出願のこの実施形態において提供される構成方法は以下のステップを含み得る。
【０１１２】
１００１．第２のＢＢＵが、第２の回線速度を更新し、各更新の後に、更新された第２の回線速度においてデータフレームを第１のＢＢＵに送る。
【０１１３】
第１のＢＢＵによって使用される回線速度は「第１の回線速度」として定義され、第２のＢＢＵによって使用される回線速度は「第２の回線速度」として定義される。回線速度は、物理レイヤチャネルの回線速度である。第１のＢＢＵは、第１の回線速度を絶えず更新し、すなわち、第１のＢＢＵは、第１の回線速度の速度値を更新し、各更新の後に、更新された第１の回線速度においてデータフレームを第２のＢＢＵに送る。同様に、第２のＢＢＵは、第２の回線速度を絶えず更新し、すなわち、第２のＢＢＵは、第２の回線速度の速度値を更新し、各更新の後に、第２の回線速度に基づく更新されたデータフレームを第１のＢＢＵに送る。
【０１１４】
本出願のいくつかの実施形態では、第２のＢＢＵが第２の回線速度を更新するステップ１００１は以下のステップを含む。
【０１１５】
Ｆ１．第２のＢＢＵが、第２の期間に基づいて第２の回線速度を更新し、第２の期間と第１の期間は異なる期間であり、第１の期間は、第１のＢＢＵが第１の回線速度をそれに基づいて更新する期間である。
【０１１６】
第１のＢＢＵと第２のＢＢＵの両方が、それぞれの期間に基づいてそれぞれの回線速度値を更新し、第１の期間と第２の期間は異なる期間である。したがって、第１の期間および第２の期間中に、より長い期間およびより短い期間が必ずある。第１のＢＢＵおよび第２のＢＢＵは、第１のＢＢＵと第２のＢＢＵとの間でブラインド回線速度マッチングを試みるために、それぞれの回線速度を周期的に更新し、それにより、手動構成を実施するために手動リソースを占有することなしに回線速度オートネゴシエーションを実装する。
【０１１７】
１００２．第１のＢＢＵが第１の回線速度を更新する各時間の後に、第２のＢＢＵが、更新された第１の回線速度において第１のＢＢＵによって送られたデータフレームを受信する。
【０１１８】
第１のＢＢＵは、各更新の後に、更新された第１の回線速度においてデータフレームを第２のＢＢＵに送る。したがって、第１のＢＢＵは、第１の回線速度に基づくデータフレームをファイバーチャネルを通して第２のＢＢＵに絶えず送り、第２のＢＢＵは、第１の回線速度に基づき、第１のＢＢＵによって絶えず送られるデータフレームを受信する。第２のＢＢＵは、送られる第２の回線速度が、受信される第１の回線速度に等しいかどうかを判定する必要がある。これら２つの回線速度が等しい場合、後続のステップ１００３がトリガされるか、またはこれら２つの回線速度が等しくない場合、ステップ１００１およびステップ１００２が実施され続ける。
【０１１９】
１００３．第２の回線速度が第１の回線速度に等しいとき、第２のＢＢＵが、第２の回線速度において第２のＢＢＵのネットワーキング関係情報を第１のＢＢＵに送り、第１の回線速度において第１のＢＢＵによって送られた第１のＢＢＵのネットワーキング関係情報を受信する。
【０１２０】
第２のＢＢＵによって送られる第２の回線速度が、受信される第１の回線速度に等しいとき、それは、第１のＢＢＵと第２のＢＢＵとの間の速度ネゴシエーションが完了したことを示す。この場合、第２のＢＢＵは、第２の回線速度において第２のＢＢＵのネットワーキング関係情報を第１のＢＢＵに送り、第１の回線速度において第１のＢＢＵによって送られた第１のＢＢＵのネットワーキング関係情報を受信し得る。第１のＢＢＵのネットワーキング関係情報は、第１のＢＢＵに接続されたＢＢＵの量、および第１のＢＢＵに接続されたインターフェースボード上のポートである。第２のＢＢＵのネットワーキング関係情報は、第２のＢＢＵに接続されたＢＢＵの量、および第２のＢＢＵに接続されたベースバンドボードまたはインターフェースボード上のポートである。第１のＢＢＵと第２のＢＢＵは、それぞれのネットワーキング関係情報を交換し、したがって、第１のＢＢＵおよび第２のＢＢＵはそれぞれ、ＢＢＵのネットワーキング関係情報に基づいてネットワークトポロジー図を生成することができる。複数のＢＢＵ間のサブラック間接続関係は、ネットワークトポロジー図を使用することによって好都合に取得され得る。
【０１２１】
本出願のいくつかの実施形態では、第１の回線速度が第２の回線速度に等しいとき、ステップ１００３に加えて、本出願のこの実施形態において提供される方法は以下のステップを含み得る。
【０１２２】
Ｇ１．第２のＢＢＵが、第２の速度において第２のＢＢＵの回線速度能力情報を第１のＢＢＵに送る。
【０１２３】
Ｇ２．第２のＢＢＵが、第１の回線速度において第１のＢＢＵによって送られた第１のＢＢＵの回線速度能力情報を受信する。
【０１２４】
Ｇ３．第２のＢＢＵが、第２のＢＢＵの回線速度能力情報および第１のＢＢＵの回線速度能力情報に基づいて、第１のＢＢＵと第２のＢＢＵとの間で物理レイヤ通信を実施するために使用される回線速度を判定する。
【０１２５】
回線速度能力情報は、物理レイヤチャネル上でのＢＢＵの最大送信能力である。第１のＢＢＵおよび第２のＢＢＵは、それぞれの回線速度能力情報を交換し、次いで、第１のＢＢＵの回線速度能力情報および第２のＢＢＵの回線速度能力情報に基づいて、第１のＢＢＵと第２のＢＢＵとの間で物理レイヤ通信を実施するために使用される回線速度を判定する。たとえば、手動構成を実施するために手動リソースを占有することなしに回線速度オートネゴシエーションを実装するために、第１のＢＢＵと第２のＢＢＵとの間で物理レイヤ通信を実施するために使用される回線速度として、第１のＢＢＵの回線速度能力情報と第２のＢＢＵの回線速度能力情報の交差セット中の最大回線速度が選択され得る。
【０１２６】
１００４．第２のＢＢＵが第１のＢＢＵの通信アドレスを取得する。
【０１２７】
本出願のこの実施形態では、第１のＢＢＵと第２のＢＢＵがそれぞれのネットワーキング関係情報を交換した後に、第１のＢＢＵは、第２のＢＢＵのネットワーキング関係情報に基づいて第２のＢＢＵに通信アドレスを割り振り、第１のＢＢＵの通信アドレスを第２のＢＢＵに送り、したがって、第２のＢＢＵは、第１のＢＢＵの通信アドレスを取得することができる。通信アドレスは、ＢＢＵのロケーションのロケーション識別子であり得る。
【０１２８】
１００５．第２のＢＢＵが、第１のＢＢＵの通信アドレスに基づいて第１のＢＢＵとの双方向上位レイヤ通信チャネルを確立する。
【０１２９】
第１のＢＢＵは第２のＢＢＵに通信アドレスを割り振り、第１のＢＢＵは第２のＢＢＵの通信アドレスを取得し得、第２のＢＢＵも第１のＢＢＵの通信アドレスを取得し得、したがって、これら２つのＢＢＵ間で双方向上位レイヤ通信チャネルが確立され得る。上位レイヤ通信チャネルは、第１のＢＢＵと第２のＢＢＵとの間の相互通信のために使用され得る。たとえば、第１のＢＢＵは、上位レイヤ通信チャネルに基づいて第２のＢＢＵにリソースを割り振る。
【０１３０】
図１０に示されている上位レイヤ通信チャネル確立処理の例示的な説明から、第１のＢＢＵおよび第２のＢＢＵは回線速度オートネゴシエーションを実施し得ることがわかる。第１のＢＢＵは、第２のＢＢＵに通信アドレスを割り振り、第２のＢＢＵは、第１のＢＢＵの通信アドレスを取得し得る。第１のＢＢＵは、第２のＢＢＵの通信アドレスに基づいて第２のＢＢＵとの双方向上位レイヤ通信チャネルを確立する。回線速度オートネゴシエーション、ネットワーキング関係情報交換、および通信アドレス割振りを通して、上位レイヤ通信チャネルは、手動構成なしに第１のＢＢＵと第２のＢＢＵとの間で自動的に確立され、それにより、手動コストが低減され、エラー確率が減少され得る。
【０１３１】
図９および図１０に示されている上位レイヤ通信チャネル確立処理について、例を使用することによって以下で説明される。図１１は、ホストＢＢＵとクライアントＢＢＵとの間で上位レイヤ通信チャネルを自動的に確立する処理を示す。ホストＢＢＵのポートモードはホストＢＢＵモードに設定され、クライアントＢＢＵのポートモードはクライアントＢＢＵモードに設定される。たとえば、ホストＢＢＵとクライアントＢＢＵとの間でＣＰＲＩチャネルが使用される。ホストＢＢＵおよびクライアントＢＢＵは、異なる期間に基づいてＣＰＲＩチャネルの回線速度を切り替えて、回線速度オートネゴシエーションを達成し、したがって、回線速度は構成される必要がなく、それにより、手動コストが低減され、エラー確率が減少される。ホストＢＢＵとクライアントＢＢＵは、ＣＰＲＩ  Ｌ１制御ワードを使用することによってネットワーキング関係情報を交換して、インターネットトポロジーの自動発見を実装する。ホストＢＢＵは、クライアントＢＢＵに通信アドレスを割り振り、これら２つの当事者は、所与の通信アドレスに基づいて、発見されたＣＰＲＩチャネル上で双方向上位レイヤ通信チャネルを確立し、クライアントインターフェースチャネルは構成される必要がない。
【０１３２】
本出願の実施形態において提供される統合アクセスシステムについて、上記の実施形態において説明された。統合アクセスシステムに基づく構成方法について以下で説明される。本方法は、統合アクセスシステムにおいてリソース構成を実装するために使用され得る。本出願の実施形態では、ホストＢＢＵは、クライアントＢＢＵにリソースを割り振り得る。本出願の実施形態において提供される構成方法は統合アクセスシステムに適用可能である。図２に示されているように、統合アクセスシステムは、第１のＢＢＵ、第２のＢＢＵ、第１のデータ交換ユニット、第２の基地局ネットワーク管理サブシステム、および第１のｐＲＲＵを含む。第１のＢＢＵは、第２のＢＢＵおよび第１のデータ交換ユニットに別々に接続され、第１のデータ交換ユニットは第１のｐＲＲＵに接続され、第２のＢＢＵは第２の基地局ネットワーク管理サブシステムに接続される。図１２に示されているように、本出願のこの実施形態において提供される構成方法は以下のステップを含み得る。
【０１３３】
１２０１．第１のＢＢＵが、第１のデータ交換ユニットに対応するリソースおよび第１のｐＲＲＵに対応するリソースにスライシング処理を実施して、複数のセクタデバイスグループオブジェクトリソースを取得する。
【０１３４】
第１のＢＢＵは、データ交換ユニット（すなわち、ＲＨＵＢ）およびｐＲＲＵなどの物理共有デバイスを管理することを担当する。第１のＢＢＵは、第１のｐＲＲＵに対応するリソースおよびＲＨＵＢに対応するリソースにスライシング処理を実施し得る。たとえば、第１のＢＢＵは、第１のｐＲＲＵに対応するリソースおよびＲＨＵＢに対応するリソースを仮想化して、それらのリソースをリソースオブジェクトとして抽出する。次いで、第１のＢＢＵは、リソースオブジェクトにスライシング処理を実施し、スライシング処理の後に取得されたスライスリソースを複数のセクタデバイスオブジェクトリソースとして定義する。セクタデバイスオブジェクトリソースは、ダウンリンク送信中に屋内分散統合アクセスシステムにおいて１つもしくは複数のｐＲＲＵによってブロードキャストを通して同じキャリア信号を送るために使用されるリソースオブジェクト、またはアップリンク送信中に無線周波数合成を通して形成された同じキャリア信号のリソースオブジェクトである。たとえば、第１のＢＢＵは、ホストＢＢＵとして働き、ＲＨＵＢに対応するリソースおよびｐＲＲＵに対応するリソースを管理するように構成される。第１のＢＢＵは、ＲＨＵＢに対応するリソースを３つの無線周波数合成リソーススライスにスライシングし、第１のＢＢＵは、ｐＲＲＵに対応するキャリアリソースを３つのキャリアリソーススライスにスライシングする。この場合、１つのＲＨＵＢの無線周波数合成リソーススライスと、１つまたは複数のｐＲＲＵ中の対応するキャリアリソーススライスは、１つのセクタデバイスグループオブジェクトリソースに合成され得る。例示的なシナリオでは、第１のＢＢＵは、３つのセクタデバイスグループオブジェクトリソースを生成し得る。
【０１３５】
本出願のいくつかの実施形態では、第１のデータ交換ユニットに対応するリソースは、無線周波数合成セル能力リソースおよび送信チャネル帯域幅リソースを含み、第１のｐＲＲＵに対応するリソースは無線周波数リソースを含む。第１のＢＢＵと第１のデータ交換ユニットがＣＰＲＩチャネルを通して互いに接続された場合、送信チャネル帯域幅リソースは特にＣＰＲＩ帯域幅リソースである。無線周波数リソースは、ネットワーク規格、周波数帯域、送信電力、および帯域幅を含み得る。無線周波数合成セル能力リソースは、無線周波数合成セルの量などのリソースである。
【０１３６】
１２０２．第１のＢＢＵが、第２の基地局ネットワーク管理サブシステムのリソース構成要求に基づいて複数のセクタデバイスグループオブジェクトリソースから第１のセクタデバイスグループオブジェクトリソースを選択する。
【０１３７】
第１のＢＢＵは第２のＢＢＵに接続され、第２のＢＢＵは第２の基地局ネットワーク管理サブシステムに接続される。第１のＢＢＵは、第２のＢＢＵを使用することによって第２の基地局ネットワーク管理サブシステムのリソース構成要求を取得し得、次いで、第１のＢＢＵは、第２の基地局ネットワーク管理サブシステムのために、複数のセクタデバイスグループオブジェクトリソースから第１のセクタデバイスグループオブジェクトリソースを選択する。たとえば、第１のＢＢＵは、事業者の実際の状況に基づいて第１のＢＢＵ側上でユニファイドリソース割振りを実施する。たとえば、事業者は、ＬＴＥ規格および２０Ｍの帯域幅を使用し、２つの２０Ｍ物理セルを確立する必要がある。この場合、第１のＢＢＵは、事業者のリソース構成に基づいて事業者にセクタデバイスグループオブジェクトリソースを割り振り得る。
【０１３８】
１２０３．第１のＢＢＵが第１のセクタデバイスグループオブジェクトリソースを第２のＢＢＵに通知する。
【０１３９】
本出願のこの実施形態では、第１のＢＢＵがステップ１２０２において第１のセクタデバイスグループオブジェクトリソースを選択した後に、第１のＢＢＵは、第１のセクタデバイスグループオブジェクトリソースを第２のＢＢＵに通知する。たとえば、第１のＢＢＵと第２のＢＢＵとの間でファイバーチャネルが使用され、第１のＢＢＵは、ファイバーチャネルを通して第１のセクタデバイスグループオブジェクトリソースを第２のＢＢＵに通知し得る。第２のＢＢＵは、第１のＢＢＵ側上に割り振られたリソースを呼び出し、バインディングを実施し、たとえば、第１のＢＢＵ側上に割り振られた無線周波数リソースを第２のＢＢＵ側上のベースバンドリソースにバインドして、対応するＢＢＵセルおよび対応するサービスをアクティブにする。第１のＢＢＵはスライシング処理を実施し、したがって、事業者デバイスは、ＲＨＵＢおよびｐＲＲＵなどの共通リソースを独立して呼び出すことができる。
【０１４０】
本出願のいくつかの実施形態では、上記のステップに加えて、本出願のこの実施形態において提供される統合アクセスシステムは、第３のＢＢＵおよび第３の基地局ネットワーク管理サブシステムを含む。図５に示されているように、第１のＢＢＵは第３のＢＢＵに接続され、第３のＢＢＵは第３の基地局ネットワーク管理サブシステムに接続され、本出願のこの実施形態において提供される方法は以下のステップをさらに含む。
【０１４１】
Ｈ１．第１のＢＢＵが、第３の基地局ネットワーク管理サブシステムのリソース構成要求に基づいて複数のセクタデバイスグループオブジェクトリソースから第２のセクタデバイスグループオブジェクトリソースを選択する。
【０１４２】
Ｈ２．第１のＢＢＵが第２のセクタデバイスグループオブジェクトリソースを第３のＢＢＵに通知する。
【０１４３】
第１のＢＢＵがファイバーチャネルを通して第２のＢＢＵおよび第３のＢＢＵに接続された場合、第１のＢＢＵは、第３の基地局ネットワーク管理サブシステムのリソース構成要求に基づいて第３の基地局ネットワーク管理サブシステムに第２のセクタデバイスグループオブジェクトリソースをさらに割り振り得、したがって、事業者デバイスは、ＲＨＵＢおよびｐＲＲＵなどの共通リソースを独立して呼び出すことができる。
【０１４４】
図１２に示されているリソース構成処理の例示的な説明から、第１のＢＢＵは、第１のデータ交換ユニットに対応するリソースおよび第１のｐＲＲＵに対応するリソースにスライシング処理を実施して、複数のセクタデバイスグループオブジェクトリソースを取得することがわかる。第１のＢＢＵは、第２の基地局ネットワーク管理サブシステムのリソース構成要求に基づいて第２の基地局ネットワーク管理サブシステムに第１のセクタデバイスグループオブジェクトリソースを割り振り、したがって、事業者デバイスは、ＲＨＵＢおよびｐＲＲＵなどの共通リソースを独立して呼び出すことができる。
【０１４５】
統合アクセスシステムに基づく構成方法について、上記の実施形態では第１のＢＢＵ側から説明されており、構成方法について、例を使用することによって以下では第２のＢＢＵ側から説明される。本方法は、統合アクセスシステムにおいてリソース構成を実装するために使用され得る。本出願の実施形態では、ホストＢＢＵは、クライアントＢＢＵにリソースを割り振り得る。本出願の実施形態において提供される構成方法は統合アクセスシステムに適用可能である。図２に示されているように、統合アクセスシステムは、第１のＢＢＵ、第２のＢＢＵ、第１のデータ交換ユニット、第２の基地局ネットワーク管理サブシステム、および第１のｐＲＲＵを含む。第１のＢＢＵは、第２のＢＢＵおよび第１のデータ交換ユニットに別々に接続され、第１のデータ交換ユニットは第１のｐＲＲＵに接続され、第２のＢＢＵは第２の基地局ネットワーク管理サブシステムに接続される。図１３に示されているように、本出願のこの実施形態において提供される構成方法は以下のステップを含み得る。
【０１４６】
１３０１．第２のＢＢＵが、第１のＢＢＵによって通知される第１のセクタデバイスグループオブジェクトリソースを取得する。
【０１４７】
１３０２．第２のＢＢＵが、第１のセクタデバイスグループオブジェクトリソースを第２のＢＢＵのベースバンドリソースにバインドし、第１のセクタデバイスグループオブジェクトリソースに対応する物理セルをアクティブにする。
【０１４８】
第１のＢＢＵと第２のＢＢＵとの間でファイバーチャネルが使用され、第１のＢＢＵは、ファイバーチャネルを通して第１のセクタデバイスグループオブジェクトリソースを第２のＢＢＵに通知し得る。第２のＢＢＵは、第１のＢＢＵ側上に割り振られたリソースを呼び出し、バインディングを実施し、たとえば、第１のＢＢＵ側上に割り振られた無線周波数リソースを第２のＢＢＵ側上のベースバンドリソースにバインドして、対応するＢＢＵセルおよび対応するサービスをアクティブにする。本明細書でのベースバンドリソースは、基地局側上の物理セルリソースである。第２のＢＢＵは、第１のＢＢＵの割振りに基づいて、対応するセクタデバイスグループオブジェクトリソースを使用し得、したがって、事業者デバイスは、ＲＨＵＢおよびｐＲＲＵなどの共通リソースを独立して呼び出すことができる。
【０１４９】
図１３に示されているリソース構成処理の例示的な説明から、第２のＢＢＵは、第１のＢＢＵによって通知される第１のセクタデバイスグループオブジェクトリソースを取得し、第２のＢＢＵは、第１のセクタデバイスグループオブジェクトリソースを第２のＢＢＵのベースバンドリソースにバインドし、第１のセクタデバイスグループオブジェクトリソースに対応する物理セルをアクティブにし、したがって、事業者デバイスは、ＲＨＵＢおよびｐＲＲＵなどの共通リソースを独立して呼び出すことができることがわかる。
【０１５０】
図１２および図１３に示されているリソース割振り処理について、例を使用することによって以下で説明される。図１４は、ホストＢＢＵとクライアントＢＢＵとの間のリソース割振り処理の例示的な説明を示す。ホストＢＢＵは基地局ネットワーク管理サブシステムおよびＲＨＵＢに接続され、ＲＨＵＢはｐＲＲＵに接続される。ホストＢＢＵは、それぞれクライアントＢＢＵ  Ａ、クライアントＢＢＵ  Ｂ、およびクライアントＢＢＵ  Ｃである、３つのクライアントＢＢＵに接続される。各クライアントＢＢＵは、１つの基地局ネットワーク管理サブシステムに接続される。ホストＢＢＵは、ＲＨＵＢおよびｐＲＲＵという、物理デバイスを管理するように構成される。ホストＢＢＵは、ＲＨＵＢに対応するリソースおよびｐＲＲＵに対応するリソースにスライシング処理を最初に実施して、セクタデバイスグループオブジェクトリソースＡ（図１４では略してリソースＡと呼ばれる）、セクタデバイスグループオブジェクトリソースＢ（図１４では略してリソースＢと呼ばれる）、およびセクタデバイスグループオブジェクトリソース（図１４では略してリソースＣと呼ばれる）を取得する。ホストＢＢＵは、使用のためにクライアントＢＢＵ  ＡにリソースＡを割り振り得る。したがって、クライアントＢＢＵ  Ａは、リソースＡを呼び出し、次いで、リソースＡに基づいてＢＢＵサービスを管理し得る。
【０１５１】
本出願の実施形態において提供される統合アクセスシステムは、ホストＢＢＵに接続されたＲＨＵＢおよびｐＲＲＵ上のリソースプーリングおよび仮想化管理をサポートし得る。ホストＢＢＵは、ＲＨＵＢおよびｐＲＲＵという、物理デバイスを管理すること、ならびにｐＲＲＵおよびＲＨＵＢのリソースオブジェクトを仮想化しスライシングすることを担当する。ホストＢＢＵは、事業者のリソース要求に基づいてクライアントＢＢＵ側上でユニファイドリソース割振りを実施する。クライアントＢＢＵ側上で、各クライアントＢＢＵは、ホストＢＢＵ側上に割り振られたリソースを呼び出し、バインディングを実施し、たとえば、ホストＢＢＵ側上に割り振られた無線周波数リソースをクライアントＢＢＵ側上のベースバンドリソースにバインドして、対応するＢＢＵセルおよび対応するサービスをアクティブにする。仮想化およびスライシングを通して、事業者デバイスは、ＲＨＵＢおよびｐＲＲＵなどの共通リソースを独立して呼び出すことができる。
【０１５２】
リソーススライシング手順について、例を使用することによって以下で説明される。ホスト構築当事者（ホストＢＢＵ）が、ターゲットサイトについての事業者のネットワーク構築要件を最初に収集する。次いで、ホストＢＢＵは、事業者のネットワーク構築要件および実際のサイト調査に基づいてリソース割振り結果を出力する。たとえば、ｐＲＲＵ、ＲＨＵＢ、およびホストＢＢＵの量などの物理デバイス情報が最初に収集される。加えて、特定のｐＲＲＵ物理位置、および各物理位置に対応する事業者のネットワーク構築要件におけるユニファイド計画リソース要件、たとえば、ネットワーク規格、周波数、帯域幅、送信電力、および無線周波数合成セルについての要件が収集される。ホストＢＢＵは、リソース設計および計画に基づいて構成される。（規格、周波数、帯域幅、送信電力、およびｐＲＲＵ無線周波数合成情報を含む）セクタデバイスグループオブジェクトを使用することによって、異なる事業者のためにリソーススライシングが実施される。各クライアントＢＢＵは、ホストＢＢＵによって割り振られたスライスリソース（すなわち、セクタデバイスグループオブジェクトリソース）を呼び出し、セクタデバイスグループオブジェクトリソースをクライアントＢＢＵのベースバンドリソースにバインドして、対応する物理セルを確立し、アクティブにし、サービスをアクティブにする。
【０１５３】
図１５を参照すると、ホストＢＢＵがクライアントＢＢＵにリソースを割り振る処理について、例を使用することによって以下で説明される。ホストＢＢＵは、最初に、ｐＲＲＵおよびＲＨＵＢのリソース状態をクライアントＢＢＵに送る。クライアントＢＢＵはリソース要求をホストＢＢＵに送り、ホストＢＢＵはリソース割当て量制御を実施する。ホストＢＢＵは、クライアントＢＢＵにリソースを割り振り、クライアントＢＢＵは、ホストＢＢＵによって割り振られたリソースを使用してリソースバインディング動作を実施する。詳細については、上記の実施形態におけるリソースバインディングの説明を参照されたい。ホストＢＢＵは、上位レイヤ通信チャネルを通してクライアントＢＢＵのためのリソース許可構成に基づいて、許可されるクライアントＢＢＵにとって利用可能であるｐＲＲＵに対応するリソースおよびＲＨＵＢに対応するリソースを割り振る。たとえば、ホストＢＢＵは、クライアントＢＢＵに無線周波数リソースおよびネットワークリソースを割り振る。ネットワークリソースは、ＣＰＲＩ帯域幅能力、無線周波数合成セル能力などを含む。本出願のこの実施形態では、ＢＢＵは、サービス拡大要件に基づいてリソースをフレキシブルに使用することができる。ホストＢＢＵは、クライアントＢＢＵによって使用されるリソースの最大量を構成および制限して、共有リソース割当て量管理および制御を実装する。
【０１５４】
リソース構成処理の例示的な説明から、本出願のこの実施形態では、ホスト構築当事者（ホストＢＢＵは、ホストＢＢＵの基地局ネットワーク管理サブシステムを使用することによって構成される）と事業者（クライアントＢＢＵは、クライアントＢＢＵの基地局ネットワーク管理サブシステムを使用することによって構成される）との間の運用および保守分離、ならびに事業者間の運用および保守分離の問題が解決され得ることがわかる。ホスト構築当事者は、屋内ハードウェアネットワークの確立を主に担当し、ｐＲＲＵ、ＲＨＵＢ、およびホストＢＢＵの確立にフォーカスし、ベースバンドセルの特定のサービスには関与しない。事業者は、それぞれのクライアントＢＢＵを別々に管理し、事業者のそれぞれのＢＢＵサービス、ならびに運用および保守にフォーカスする。したがって、本出願のこの実施形態では、屋内分散共通システムのユニファイド確立、運用および保守が実装され、事業者によって提供される異なるサービスソリューションは分離され、事業者のサービス発展も分離される。具体的には、独立したＢＢＵバージョン、セル、サービス特性などがアクティブにされる。
【０１５５】
簡単な説明のために、上記の方法実施形態は一連のアクションとして説明されたことに留意されたい。しかしながら、本出願によれば、いくつかのステップは別の順序でまたは同時に実施され得るので、本出願はアクションの説明される順序に限定されないことを当業者は諒解されたい。本明細書で説明されるすべての実施形態は例示的な実施形態であり、アクションおよびモジュールは本出願によって必ずしも必要とされないことを当業者はさらに諒解されたい。
【０１５６】
本出願の実施形態の解決策をより良く実装するために、解決策を実装するための関係する装置が以下でさらに提供される。
【０１５７】
図１６を参照すると、本出願の実施形態はベースバンドユニットＢＢＵを提供する。ＢＢＵは特に第１のＢＢＵであり、第１のＢＢＵは統合アクセスシステムに属する。統合アクセスシステムは第２のＢＢＵをさらに含み、第１のＢＢＵは第２のＢＢＵに接続される。第１のＢＢＵ１６００は、
【０１５８】
第１のクロック同期情報を取得するように構成された、取得モジュール１６０１であって、第１のクロック同期情報は、第１のＢＢＵのクロック周波数およびクロック位相を含む、取得モジュール１６０１と、
【０１５９】
第１のクロック同期情報を第２のＢＢＵに送るように構成された、送りモジュール１６０２と
を含む。
【０１６０】
本出願のいくつかの実施形態では、統合アクセスシステムは第３のＢＢＵをさらに含み、第３のＢＢＵは第１のＢＢＵに接続され、送りモジュール１６０２は、第１のクロック同期情報を第３のＢＢＵに送るようにさらに構成される。
【０１６１】
図１７を参照すると、本出願の実施形態はベースバンドユニットＢＢＵを提供する。ＢＢＵは特に第２のＢＢＵ１７００であり、第２のＢＢＵは統合アクセスシステムに属する。統合アクセスシステムは第１のＢＢＵをさらに含み、第１のＢＢＵは第２のＢＢＵに接続される。第２のＢＢＵ１７００は、
【０１６２】
第１のＢＢＵによって送られた第１のクロック同期情報を受信するように構成された、受信モジュール１７０１であって、第１のクロック同期情報は、第１のＢＢＵのクロック周波数およびクロック位相を含む、受信モジュール１７０１と、
【０１６３】
第１のクロック同期情報に基づいて第２のＢＢＵのローカルクロック情報を構成するように構成された、構成モジュール１７０２と
を含む。
【０１６４】
本出願のいくつかの実施形態では、統合アクセスシステムは第４のＢＢＵをさらに含み、第４のＢＢＵは第２のＢＢＵに接続され、受信モジュール１７０１は、第４のＢＢＵによって送られた第２のクロック同期情報を受信するようにさらに構成される。第２のクロック同期情報は、第４のＢＢＵのクロック周波数およびクロック位相を含む。
【０１６５】
構成モジュール１７０２は、第１のクロック同期情報および第２のクロック同期情報に基づいて第２のＢＢＵのローカルクロック情報を構成するように特に構成される。
【０１６６】
さらに、本出願のいくつかの実施形態では、構成モジュール１７０２は、第１のクロック同期情報および第２のクロック同期情報から、より高いクロック品質をもつクロック同期情報を選択し、より高いクロック品質をもつクロック同期情報に基づいて第２のＢＢＵのローカルクロック情報を構成するように特に構成される。
【０１６７】
図１８−ａを参照すると、本出願の実施形態はベースバンドユニットＢＢＵを提供する。ＢＢＵは特に第１のＢＢＵ１８００であり、第１のＢＢＵは統合アクセスシステムに属する。統合アクセスシステムは第２のＢＢＵをさらに含み、第１のＢＢＵは第２のＢＢＵに接続される。第１のＢＢＵ１８００は、
【０１６８】
第１の回線速度を更新し、各更新の後に、更新された第１の回線速度においてデータフレームを第２のＢＢＵに送るように構成された、回線速度更新モジュール１８０１と、
【０１６９】
第２のＢＢＵが第２の回線速度を更新する各時間の後に、更新された第２の回線速度において第２のＢＢＵによって送られたデータフレームを受信するように構成された、受信モジュール１８０２と、
【０１７０】
第１の回線速度が第２の回線速度に等しいとき、第１の回線速度において第１のＢＢＵのネットワーキング関係情報を第２のＢＢＵに送り、第２の回線速度において第２のＢＢＵによって送られた第２のＢＢＵのネットワーキング関係情報を受信するように構成された、送りモジュール１８０３と、
【０１７１】
第２のＢＢＵのネットワーキング関係情報に基づいて第２のＢＢＵに通信アドレスを割り振り、第１のＢＢＵの通信アドレスを第２のＢＢＵに送るように構成された、アドレス割振りモジュール１８０４と、
【０１７２】
第２のＢＢＵの通信アドレスに基づいて第２のＢＢＵとの双方向上位レイヤ通信チャネルを確立するように構成された、チャネル確立モジュール１８０５と
を含む。
【０１７３】
本出願のいくつかの実施形態では、図１８−ｂに示されているように、第１の回線速度が第２の回線速度に等しいとき、第１のＢＢＵ１８００は回線速度判定モジュール１８０６をさらに含む。
【０１７４】
送りモジュール１８０３は、第１の回線速度において第１のＢＢＵの回線速度能力情報を第２のＢＢＵに送るようにさらに構成される。
【０１７５】
受信モジュール１８０２は、第２の回線速度において第２のＢＢＵによって送られた第２のＢＢＵの回線速度能力情報を受信するようにさらに構成される。
【０１７６】
回線速度判定モジュール１８０６は、第１のＢＢＵの回線速度能力情報および第２のＢＢＵの回線速度能力情報に基づいて、第１のＢＢＵと第２のＢＢＵとの間で物理レイヤ通信を実施するために使用される回線速度を判定するように構成される。
【０１７７】
図１９−ａを参照すると、本出願の実施形態はベースバンドユニットＢＢＵを提供する。ＢＢＵは特に第２のＢＢＵ１９００であり、第２のＢＢＵは統合アクセスシステムに属する。統合アクセスシステムは第１のＢＢＵをさらに含み、第１のＢＢＵは第２のＢＢＵに接続される。第２のＢＢＵ１９００は、
【０１７８】
第２の回線速度を更新し、各更新の後に、更新された第２の回線速度においてデータフレームを第１のＢＢＵに送るように構成された、回線速度更新モジュール１９０１と、
【０１７９】
第１のＢＢＵが第１の回線速度を更新する各時間の後に、更新された第１の回線速度において第１のＢＢＵによって送られたデータフレームを受信するように構成された、受信モジュール１９０２と、
【０１８０】
第２の回線速度が第１の回線速度に等しいとき、第２のＢＢＵによって、第２の回線速度において第２のＢＢＵのネットワーキング関係情報を第１のＢＢＵに送り、第１の回線速度において第１のＢＢＵによって送られた第１のＢＢＵのネットワーキング関係情報を受信するように構成された、送りモジュール１９０３と、
【０１８１】
第１のＢＢＵの通信アドレスを取得するように構成された、アドレス取得モジュール１９０４と、
【０１８２】
第１のＢＢＵの通信アドレスに基づいて第１のＢＢＵとの双方向上位レイヤ通信チャネルを確立するように構成された、チャネル確立モジュール１９０５と
を含む。
【０１８３】
本出願のいくつかの実施形態では、図１９−ｂに示されているように、第２の回線速度が第１の回線速度に等しいとき、第２のＢＢＵ１９００は回線速度判定モジュール１９０６をさらに含む。
【０１８４】
送りモジュール１９０３は、第２の速度において第２のＢＢＵの回線速度能力情報を第１のＢＢＵに送るようにさらに構成される。
【０１８５】
受信モジュール１９０２は、第１の回線速度において第１のＢＢＵによって送られた第１のＢＢＵの回線速度能力情報を受信するようにさらに構成される。
【０１８６】
回線速度判定モジュール１９０６は、第２のＢＢＵの回線速度能力情報および第１のＢＢＵの回線速度能力情報に基づいて、第１のＢＢＵと第２のＢＢＵとの間で物理レイヤ通信を実施するために使用される回線速度を判定するように構成される。
【０１８７】
図２０を参照すると、本出願の実施形態はベースバンドユニットＢＢＵを提供する。ＢＢＵは特に第１のＢＢＵ２０００であり、第１のＢＢＵは統合アクセスシステムに属する。統合アクセスシステムは、第２のＢＢＵ、第１のデータ交換ユニット、第２の基地局ネットワーク管理サブシステム、および第１のピコリモート無線ユニットｐＲＲＵをさらに含む。第１のＢＢＵは、第２のＢＢＵおよび第１のデータ交換ユニットに別々に接続され、第１のデータ交換ユニットは第１のｐＲＲＵに接続され、第２のＢＢＵは第２の基地局ネットワーク管理サブシステムに接続される。第１のＢＢＵ２０００は、
【０１８８】
第１のデータ交換ユニットに対応するリソースおよび第１のｐＲＲＵに対応するリソースにスライシング処理を実施して、複数のセクタデバイスグループオブジェクトリソースを取得するように構成された、スライシングモジュール２００１と、
【０１８９】
第２の基地局ネットワーク管理サブシステムのリソース構成要求に基づいて複数のセクタデバイスグループオブジェクトリソースから第１のセクタデバイスグループオブジェクトリソースを選択するように構成された、リソース割振りモジュール２００２と、
【０１９０】
第１のセクタデバイスグループオブジェクトリソースを第２のＢＢＵに通知するように構成された、通知モジュール２００３と
を含む。
【０１９１】
本出願のいくつかの実施形態では、統合アクセスシステムは、第３のＢＢＵおよび第３の基地局ネットワーク管理サブシステムをさらに含む。第１のＢＢＵは第３のＢＢＵに接続され、第３のＢＢＵは第３の基地局ネットワーク管理サブシステムに接続される。
【０１９２】
リソース割振りモジュール２００２は、第３の基地局ネットワーク管理サブシステムのリソース構成要求に基づいて複数のセクタデバイスグループオブジェクトリソースから第２のセクタデバイスグループオブジェクトリソースを選択するようにさらに構成される。
【０１９３】
通知モジュール２００３は、第２のセクタデバイスグループオブジェクトリソースを第３のＢＢＵに通知するようにさらに構成される。
【０１９４】
図２１を参照すると、本出願の実施形態はベースバンドユニットＢＢＵを提供する。ＢＢＵは特に第２のＢＢＵ２１００であり、第２のＢＢＵは統合アクセスシステムに属する。統合アクセスシステムは、第１のＢＢＵ、第２のＢＢＵ、第１のデータ交換ユニット、第２の基地局ネットワーク管理サブシステム、および第１のピコリモート無線ユニットｐＲＲＵをさらに含む。第１のＢＢＵは、第２のＢＢＵおよび第１のデータ交換ユニットに別々に接続され、第１のデータ交換ユニットは第１のｐＲＲＵに接続され、第２のＢＢＵは第２の基地局ネットワーク管理サブシステムに接続される。第２のＢＢＵ２１００は、
【０１９５】
第１のＢＢＵによって通知される第１のセクタデバイスグループオブジェクトリソースを取得するように構成された、リソース取得モジュール２１０１と、
【０１９６】
第１のセクタデバイスグループオブジェクトリソースを第２のＢＢＵのベースバンドリソースにバインドし、第１のセクタデバイスグループオブジェクトリソースに対応する物理セルをアクティブにするように構成された、リソース使用モジュール２１０２と
を含む。
【０１９７】
装置のモジュール／ユニット間の情報交換およびそれの実行処理などの内容は、本出願の方法実施形態と同じアイデアに基づき、本出願の方法実施形態と同じ技術的効果を奏することに留意されたい。特定の内容については、本出願の方法実施形態における上記の説明を参照されたい。詳細について本明細書で再び説明されない。
【０１９８】
本出願の実施形態はコンピュータ記憶媒体をさらに提供する。コンピュータ記憶媒体はプログラムを記憶する。プログラムでは、上記の方法実施形態において記録されるステップの一部または全部が実施される。
【０１９９】
本出願の実施形態において提供される別の第１のＢＢＵについて以下で説明される。図２２を参照すると、第１のＢＢＵ２２００は、
【０２００】
受信機２２０１、送信機２２０２、プロセッサ２２０３、およびメモリ２２０４を含む（第１のＢＢＵ２２００中に１つまたは複数のプロセッサ２２０３があり得、図２２では例として１つのプロセッサが使用される）。本出願のいくつかの実施形態では、受信機２２０１、送信機２２０２、プロセッサ２２０３、およびメモリ２２０４は、バスを使用することによってまたは別の方式で接続され得、図２２では例としてバスを使用することによって接続することが使用される。
【０２０１】
メモリ２２０４は、読取り専用メモリおよびランダムアクセスメモリを含み、プロセッサ２２０３に命令およびデータを提供し得る。メモリ２２０４の一部は、不揮発性ランダムアクセスメモリ（英語の完全な名称：Ｎｏｎ−Ｖｏｌａｔｉｌｅ  Ｒａｎｄｏｍ  Ａｃｃｅｓｓ  Ｍｅｍｏｒｙ、英語の頭文字：ＮＶＲＡＭ）をさらに含み得る。メモリ２２０４は、オペレーティングシステムおよび動作命令、実行可能モジュールもしくはデータ構造、またはそれのサブセット、またはそれの拡張セットを記憶する。動作命令は、様々な動作を実装するための様々な動作命令を含み得る。オペレーティングシステムは、様々な基本サービスを実装しハードウェアベースのタスクを処理するための様々なシステムプログラムを含み得る。
【０２０２】
プロセッサ２２０３は第１のＢＢＵの動作を制御し、プロセッサ２２０３は中央処理ユニット（英語の完全な名称：Ｃｅｎｔｒａｌ  Ｐｒｏｃｅｓｓｉｎｇ  Ｕｎｉｔ、英語の頭文字：ＣＰＵ）と呼ばれることもある。特定の適用例では、第１のＢＢＵの構成要素は、バスシステムを使用することによって結合される。データバスに加えて、バスシステムは、電力バス、制御バス、およびステータス信号バスを含み得る。ただし、明快な説明のために、図における様々なタイプのバスはバスシステムとしてマークされている。
【０２０３】
本出願の上記の実施形態において開示される方法は、プロセッサ２２０３に適用され得るか、またはプロセッサ２２０３によって実装され得る。プロセッサ２２０３は集積回路チップであり得、信号処理能力を有する。実装処理において、上記の方法におけるステップは、プロセッサ２２０３中のハードウェア集積論理回路を使用することによって、またはソフトウェアの形態の命令を使用することによって実装されることが可能である。プロセッサ２２０３は、汎用プロセッサ、デジタル信号プロセッサ（英語の完全な名称：ｄｉｇｉｔａｌ  ｓｉｇｎａｌ  ｐｒｏｃｅｓｓｉｎｇ、英語の頭文字：ＤＳＰ）、特定用途向け集積回路（英語の完全な名称：Ａｐｐｌｉｃａｔｉｏｎ  Ｓｐｅｃｉｆｉｃ  Ｉｎｔｅｇｒａｔｅｄ  Ｃｉｒｃｕｉｔ、英語の頭文字：ＡＳＩＣ）、フィールドプログラマブルゲートアレイ（英語の完全な名称：Ｆｉｅｌｄ−Ｐｒｏｇｒａｍｍａｂｌｅ  Ｇａｔｅ  Ａｒｒａｙ、英語の頭文字：ＦＰＧＡ）もしくは別のプログラマブル論理デバイス、個別ゲートもしくはトランジスタ論理デバイス、または個別ハードウェア構成要素であり得る。プロセッサ２２０３は、本出願の実施形態において開示される方法、ステップ、および論理ブロック図を実装または実施し得る。汎用プロセッサはマイクロプロセッサであり得るか、またはプロセッサは任意の従来のプロセッサなどであり得る。本出願の実施形態に関して開示される方法のステップは、ハードウェア復号プロセッサによって直接実施され、完了され得るか、または復号プロセッサにおいてハードウェアモジュールとソフトウェアモジュールの組合せを使用することによって実施され、完了され得る。ソフトウェアモジュールは、ランダムアクセスメモリ、フラッシュメモリ、読取り専用メモリ、プログラマブル読取り専用メモリ、電気的消去可能プログラマブルメモリ、レジスタなど、当技術分野における成熟した記憶媒体中に配置され得る。記憶媒体はメモリ２２０４中に配置され、プロセッサ２２０３は、メモリ２２０４中の情報を読み取り、プロセッサのハードウェアとの組合せで上記の方法におけるステップを完了する。
【０２０４】
本出願のこの実施形態では、プロセッサ２２０３は、第１のＢＢＵによって実施される方法ステップを実施するように構成される。
【０２０５】
本発明の実施形態において提供される別の第２のＢＢＵについて以下で説明される。図２３を参照すると、第２のＢＢＵ２３００は、
【０２０６】
受信機２３０１、送信機２３０２、プロセッサ２３０３、およびメモリ２３０４を含む（第２のＢＢＵ２３００中に１つまたは複数のプロセッサ２３０３があり得、図２３では例として１つのプロセッサが使用される）。本発明のいくつかの実施形態では、受信機２３０１、送信機２３０２、プロセッサ２３０３、およびメモリ２３０４は、バスを使用することによってまたは別の方式で接続され得、図２３では例としてバスを使用することによって接続することが使用される。
【０２０７】
メモリ２３０４は、読取り専用メモリおよびランダムアクセスメモリを含み、プロセッサ２３０３に命令およびデータを提供し得る。メモリ２３０４の一部はＮＶＲＡＭをさらに含み得る。メモリ２３０４は、オペレーティングシステムおよび動作命令、実行可能モジュールもしくはデータ構造、またはそれのサブセット、またはそれの拡張セットを記憶する。動作命令は、様々な動作を実装するための様々な動作命令を含み得る。オペレーティングシステムは、様々な基本サービスを実装しハードウェアベースのタスクを処理するための様々なシステムプログラムを含み得る。
【０２０８】
プロセッサ２３０３は第２のＢＢＵの動作を制御する。プロセッサ２３０３はＣＰＵと呼ばれることもある。特定の適用例では、第２のＢＢＵの構成要素は、バスシステムを使用することによって結合される。データバスに加えて、バスシステムは、電力バス、制御バス、およびステータス信号バスを含み得る。ただし、明快な説明のために、図における様々なタイプのバスはバスシステムとしてマークされている。
【０２０９】
本発明の上記の実施形態において開示される方法は、プロセッサ２３０３に適用され得るか、またはプロセッサ２３０３によって実装され得る。プロセッサ２３０３は集積回路チップであり得、信号処理能力を有する。実装処理において、上記の方法におけるステップは、プロセッサ２３０３中のハードウェア集積論理回路を使用することによって、またはソフトウェアの形態の命令を使用することによって実装されることが可能である。プロセッサ２３０３は、汎用プロセッサ、ＤＳＰ、ＡＳＩＣ、ＦＰＧＡもしくは別のプログラマブル論理デバイス、個別ゲートもしくはトランジスタ論理デバイス、または個別ハードウェア構成要素であり得る。プロセッサ２３０３は、本発明の実施形態において開示される方法、ステップ、および論理ブロック図を実装または実施し得る。汎用プロセッサはマイクロプロセッサであり得るか、またはプロセッサは任意の従来のプロセッサなどであり得る。本発明の実施形態に関して開示される方法のステップは、ハードウェア復号プロセッサによって直接実施され、完了され得るか、または復号プロセッサにおいてハードウェアモジュールとソフトウェアモジュールの組合せを使用することによって実施され、完了され得る。ソフトウェアモジュールは、ランダムアクセスメモリ、フラッシュメモリ、読取り専用メモリ、プログラマブル読取り専用メモリ、電気的消去可能プログラマブルメモリ、レジスタなど、当技術分野における成熟した記憶媒体中に配置され得る。記憶媒体はメモリ２３０４中に配置され、プロセッサ２３０３は、メモリ２３０４中の情報を読み取り、プロセッサのハードウェアとの組合せで上記の方法におけるステップを完了する。
【０２１０】
本発明のこの実施形態では、プロセッサ２３０３は、第２のＢＢＵによって実施される方法ステップを実施するように構成される。
【０２１１】
加えて、説明される装置実施形態は例にすぎないことに留意されたい。別個の部分として説明されるユニットは、物理的に別個であることもそうでないこともあり、ユニットとして表示された部分は、物理ユニットであることもそうでないこともあり、１つの位置に位置し得るか、または複数のネットワークユニット上に分散され得る。モジュールの一部または全部は、実施形態の解決策の目的を達成するために実際の必要に従って選択され得る。加えて、本出願において提供される装置実施形態の添付の図面では、モジュール間の接続関係は、モジュールが、１つまたは複数の通信バスまたは信号ケーブルとして特に実装され得る、互いの通信接続を有することを示す。当業者は、創造的な取り組みなしに本発明の実施形態を理解し、実装されよう。
【０２１２】
上記の実装の説明に基づいて、本出願は、必要な普遍的ハードウェアに加えてソフトウェアによって、または専用集積回路、専用ＣＰＵ、専用メモリ、専用構成要素などを含む専用ハードウェアによって実装され得ることを、当業者は明らかに理解されよう。概して、コンピュータプログラムによって実施されることが可能などんな機能も、対応するハードウェアを使用することによって容易に実装されることが可能である。その上、同じ機能を達成するために使用される特定のハードウェア構造は様々な形態であり得、たとえば、アナログ回路、デジタル回路、専用回路などの形態であり得る。しかしながら、本出願に関しては、ソフトウェアプログラム実装は、たいていの場合、より良い実装である。そのような理解に基づいて、本質的に本出願の技術的解決策、または従来技術に寄与する部分は、ソフトウェア製品の形態で実装され得る。コンピュータソフトウェア製品は、コンピュータのフロッピーディスク、ＵＳＢフラッシュドライブ、リムーバブルハードディスク、読取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの可読記憶媒体に記憶され、本出願の実施形態で説明される方法を実施するように（パーソナルコンピュータ、サーバ、ネットワークデバイスなどであり得る）コンピュータデバイスに命令するためのいくつかの命令を含む。
【０２１３】
上記の実施形態の全部または一部は、ソフトウェア、ハードウェア、ファームウェア、またはそれらの任意の組合せを通して実装され得る。実施形態を実装するためにソフトウェアが使用されるとき、実施形態は、完全にまたは部分的にコンピュータプログラム製品の形態で実装され得る。
【０２１４】
コンピュータプログラム製品は１つまたは複数のコンピュータ命令を含む。コンピュータプログラム命令がコンピュータ上にロードされ、実行されるとき、本出願の実施形態による手順または機能がすべてまたは部分的に生成される。コンピュータは、汎用コンピュータ、専用コンピュータ、コンピュータネットワーク、または他のプログラマブル装置であり得る。コンピュータ命令は、コンピュータ可読記憶媒体に記憶され得るか、またはコンピュータ可読記憶媒体から別のコンピュータ可読記憶媒体に送信され得る。たとえば、コンピュータ命令は、ワイヤード（たとえば、同軸ケーブル、光ファイバー、もしくはデジタル加入者回線（ＤＳＬ））またはワイヤレス（たとえば、赤外線、無線、もしくはマイクロ波）方式で、ウェブサイト、コンピュータ、サーバ、またはデータセンターから別のウェブサイト、コンピュータ、サーバ、またはデータセンターに送信され得る。コンピュータ可読記憶媒体は、１つまたは複数の使用可能な媒体を統合している、サーバまたはデータセンターなど、コンピュータまたはデータストレージデバイスによってアクセス可能な任意の使用可能な媒体であり得る。使用可能な媒体は、磁気媒体（たとえば、フロッピーディスク、ハードディスク、または磁気テープ）、光媒体（たとえば、ＤＶＤ）、半導体媒体（たとえば、ソリッドステートドライブＳｏｌｉｄ  Ｓｔａｔｅ  Ｄｉｓｋ（ＳＳＤ））などであり得る。
【図１】
2020523854.tif 000003
【図２】
2020523854.tif 000004
【図３】
2020523854.tif 000005
【図４Ａ】
2020523854.tif 000006
【図４Ｂ】
2020523854.tif 000007
【図５】
2020523854.tif 000008
【図６Ａ】
2020523854.tif 000009
【図６Ｂ】
2020523854.tif 000010
【図６Ｃ】
2020523854.tif 000011
【図６Ｄ】
2020523854.tif 000012
【図７】
2020523854.tif 000013
【図８】
2020523854.tif 000014
【図９】
2020523854.tif 000015
【図１０】
2020523854.tif 000016
【図１１】
2020523854.tif 000017
【図１２】
2020523854.tif 000018
【図１３】
2020523854.tif 000019
【図１４】
2020523854.tif 000020
【図１５】
2020523854.tif 000021
【図１６】
2020523854.tif 000022
【図１７】
2020523854.tif 000023
【図１８−ａ】
2020523854.tif 000024
【図１８−ｂ】
2020523854.tif 000025
【図１９−ａ】
2020523854.tif 000026
【図１９−ｂ】
2020523854.tif 000027
【図２０】
2020523854.tif 000028
【図２１】
2020523854.tif 000029
【図２２】
2020523854.tif 000030
【図２３】
2020523854.tif 000031
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
第１のベースバンドユニット（ＢＢＵ）、第２のＢＢＵ、第１のデータ交換ユニット、第１の基地局ネットワーク管理サブシステム、第２の基地局ネットワーク管理サブシステム、および第１のピコリモート無線ユニット（ｐＲＲＵ）を備える、統合アクセスシステムであって、
前記第１のＢＢＵは前記第１のデータ交換ユニットに接続され、前記第１のＢＢＵは前記第１の基地局ネットワーク管理サブシステムに接続され、前記第１のＢＢＵは前記第２のＢＢＵに接続され、
前記第２のＢＢＵは前記第２の基地局ネットワーク管理サブシステムに接続され、
前記第１のｐＲＲＵは前記第１のデータ交換ユニットに接続された、
統合アクセスシステム。
【請求項２】
前記統合アクセスシステムは、第３のＢＢＵおよび第３の基地局ネットワーク管理サブシステムをさらに備え、
前記第１のＢＢＵは前記第３のＢＢＵに接続され、
前記第３のＢＢＵは前記第３の基地局ネットワーク管理サブシステムに接続された
請求項１に記載の統合アクセスシステム。
【請求項３】
前記統合アクセスシステムは、第４のＢＢＵ、第２のデータ交換ユニット、第４の基地局ネットワーク管理サブシステム、および第２のｐＲＲＵをさらに備え、
前記第４のＢＢＵは前記第２のデータ交換ユニットに接続され、前記第４のＢＢＵは前記第４の基地局ネットワーク管理サブシステムに接続され、前記第４のＢＢＵは前記第２のＢＢＵに接続され、
前記第２のｐＲＲＵは前記第２のデータ交換ユニットに接続された
請求項１または２に記載の統合アクセスシステム。
【請求項４】
統合アクセスシステムに基づく構成方法であって、前記統合アクセスシステムは、第１のベースバンドユニット（ＢＢＵ）および第２のＢＢＵを備え、前記第１のＢＢＵは前記第２のＢＢＵに接続され、前記方法は、
前記第１のＢＢＵによって、第１のクロック同期情報を取得するステップであって、前記第１のクロック同期情報は、前記第１のＢＢＵのクロック周波数およびクロック位相を備える、ステップと、
前記第１のＢＢＵによって、前記第１のクロック同期情報を前記第２のＢＢＵに送るステップと
を含む、構成方法。
【請求項５】
前記統合アクセスシステムは第３のＢＢＵをさらに備え、前記第３のＢＢＵは前記第１のＢＢＵに接続され、前記方法は、
前記第１のＢＢＵによって、前記第１のクロック同期情報を前記第３のＢＢＵに送るステップ
をさらに含む請求項４に記載の方法。
【請求項６】
統合アクセスシステムに基づく構成方法であって、前記統合アクセスシステムは、第１のベースバンドユニット（ＢＢＵ）および第２のＢＢＵを備え、前記第１のＢＢＵは前記第２のＢＢＵに接続され、前記方法は、
前記第２のＢＢＵによって、前記第１のＢＢＵによって送られた第１のクロック同期情報を受信するステップであって、前記第１のクロック同期情報は、前記第１のＢＢＵのクロック周波数およびクロック位相を備える、ステップと、
前記第２のＢＢＵによって、前記第１のクロック同期情報に基づいて前記第２のＢＢＵのローカルクロック情報を構成するステップと
を含む、構成方法。
【請求項７】
前記統合アクセスシステムは第４のＢＢＵをさらに備え、前記第４のＢＢＵは前記第２のＢＢＵに接続され、前記方法は、
前記第２のＢＢＵによって、前記第４のＢＢＵによって送られた第２のクロック同期情報を受信するステップであって、前記第２のクロック同期情報は、前記第４のＢＢＵのクロック周波数およびクロック位相を備える、ステップ
をさらに含み、
前記第２のＢＢＵによって、前記第１のクロック同期情報に基づいて前記第２のＢＢＵのローカルクロック情報を構成する前記ステップは、
前記第２のＢＢＵによって、前記第１のクロック同期情報および前記第２のクロック同期情報に基づいて前記第２のＢＢＵの前記ローカルクロック情報を構成するステップ
を含む請求項６に記載の方法。
【請求項８】
前記第２のＢＢＵによって、前記第１のクロック同期情報および前記第２のクロック同期情報に基づいて前記第２のＢＢＵの前記ローカルクロック情報を構成する前記ステップは、
前記第２のＢＢＵによって、前記第１のクロック同期情報および前記第２のクロック同期情報から、より高いクロック品質をもつクロック同期情報を選択し、より高いクロック品質をもつ前記クロック同期情報に基づいて前記第２のＢＢＵの前記ローカルクロック情報を構成するステップ
を含む請求項７に記載の方法。
【請求項９】
統合アクセスシステムに基づく構成方法であって、前記統合アクセスシステムは、第１のベースバンドユニット（ＢＢＵ）および第２のＢＢＵを備え、前記第１のＢＢＵは前記第２のＢＢＵに接続され、前記方法は、
前記第１のＢＢＵによって、第１の回線速度を更新し、各更新の後に、更新された第１の回線速度においてデータフレームを前記第２のＢＢＵに送るステップと、
前記第２のＢＢＵが第２の回線速度を更新する各時間の後に、前記第１のＢＢＵによって、更新された第２の回線速度において前記第２のＢＢＵによって送られたデータフレームを受信するステップと、
前記第１の回線速度が前記第２の回線速度に等しいとき、前記第１のＢＢＵによって、前記第１の回線速度において前記第１のＢＢＵのネットワーキング関係情報を前記第２のＢＢＵに送り、前記第２の回線速度において前記第２のＢＢＵによって送られた前記第２のＢＢＵのネットワーキング関係情報を受信するステップと、
前記第１のＢＢＵによって、前記第２のＢＢＵの前記ネットワーキング関係情報に基づいて前記第２のＢＢＵに通信アドレスを割り振り、前記第１のＢＢＵの通信アドレスを前記第２のＢＢＵに送るステップと、
前記第１のＢＢＵによって、前記第２のＢＢＵの前記通信アドレスに基づいて前記第２のＢＢＵとの双方向上位レイヤ通信チャネルを確立するステップと
を含む、構成方法。
【請求項１０】
前記第１の回線速度が前記第２の回線速度に等しいとき、前記方法は、
前記第１のＢＢＵによって、前記第１の回線速度において前記第１のＢＢＵの回線速度能力情報を前記第２のＢＢＵに送るステップと、
前記第１のＢＢＵによって、前記第２の回線速度において前記第２のＢＢＵによって送られた前記第２のＢＢＵの回線速度能力情報を受信するステップと、
前記第１のＢＢＵの前記回線速度能力情報および前記第２のＢＢＵの前記回線速度能力情報に基づいて前記第１のＢＢＵによって、前記第１のＢＢＵと前記第２のＢＢＵとの間で物理レイヤ通信を実施するために使用される回線速度を判定するステップと
をさらに含む請求項９に記載の方法。
【請求項１１】
前記第１のＢＢＵによって、第１の回線速度を更新する前記ステップは、
前記第１のＢＢＵによって、第１の期間に基づいて前記第１の回線速度を更新するステップであって、前記第１の期間と第２の期間は異なる期間であり、前記第２の期間は、前記第２のＢＢＵが前記第２の回線速度をそれに基づいて更新する期間である、ステップ
を含む請求項９または１０に記載の方法。
【請求項１２】
統合アクセスシステムに基づく構成方法であって、前記統合アクセスシステムは、第１のベースバンドユニット（ＢＢＵ）および第２のＢＢＵを備え、前記第１のＢＢＵは前記第２のＢＢＵに接続され、前記方法は、
前記第２のＢＢＵによって、第２の回線速度を更新し、各更新の後に、更新された第２の回線速度においてデータフレームを前記第１のＢＢＵに送るステップと、
前記第１のＢＢＵが第１の回線速度を更新する各時間の後に、前記第２のＢＢＵによって、更新された第１の回線速度において前記第１のＢＢＵによって送られたデータフレームを受信するステップと、
前記第２の回線速度が前記第１の回線速度に等しいとき、前記第２のＢＢＵによって、前記第２の回線速度において前記第２のＢＢＵのネットワーキング関係情報を前記第１のＢＢＵに送り、前記第１の回線速度において前記第１のＢＢＵによって送られた前記第１のＢＢＵのネットワーキング関係情報を受信するステップと、
前記第２のＢＢＵによって、前記第１のＢＢＵの通信アドレスを取得するステップと、
前記第２のＢＢＵによって、前記第１のＢＢＵの前記通信アドレスに基づいて前記第１のＢＢＵとの双方向上位レイヤ通信チャネルを確立するステップと
を含む、構成方法。
【請求項１３】
前記第２の回線速度が前記第１の回線速度に等しいとき、前記方法は、
前記第２のＢＢＵによって、前記第２の回線速度において前記第２のＢＢＵの回線速度能力情報を前記第１のＢＢＵに送るステップと、
前記第２のＢＢＵによって、前記第１の回線速度において前記第１のＢＢＵによって送られた前記第１のＢＢＵの回線速度能力情報を受信するステップと、
前記第２のＢＢＵの前記回線速度能力情報および前記第１のＢＢＵの前記回線速度能力情報に基づいて前記第２のＢＢＵによって、前記第１のＢＢＵと前記第２のＢＢＵとの間で物理レイヤ通信を実施するために使用される回線速度を判定するステップと
をさらに含む請求項１２に記載の方法。
【請求項１４】
前記第２のＢＢＵによって、第２の回線速度を更新する前記ステップは、
前記第２のＢＢＵによって、第２の期間に基づいて前記第２の回線速度を更新するステップであって、前記第２の期間と第１の期間は異なる期間であり、前記第１の期間は、前記第１のＢＢＵが前記第１の回線速度をそれに基づいて更新する期間である、ステップ
を含む請求項１２または１３に記載の方法。
【請求項１５】
統合アクセスシステムに基づく構成方法であって、前記統合アクセスシステムは、第１のベースバンドユニット（ＢＢＵ）、第２のＢＢＵ、第１のデータ交換ユニット、第２の基地局ネットワーク管理サブシステム、および第１のピコリモート無線ユニット（ｐＲＲＵ）を備え、前記第１のＢＢＵは、前記第２のＢＢＵおよび前記第１のデータ交換ユニットに別々に接続され、前記第１のデータ交換ユニットは前記第１のｐＲＲＵに接続され、前記第２のＢＢＵは前記第２の基地局ネットワーク管理サブシステムに接続され、前記方法は、
前記第１のＢＢＵによって、前記第１のデータ交換ユニットに対応するリソースおよび前記第１のｐＲＲＵに対応するリソースにスライシング処理を実施して、複数のセクタデバイスグループオブジェクトリソースを取得するステップと、
前記第１のＢＢＵによって、前記第２の基地局ネットワーク管理サブシステムのリソース構成要求に基づいて前記複数のセクタデバイスグループオブジェクトリソースから第１のセクタデバイスグループオブジェクトリソースを選択するステップと、
前記第１のＢＢＵによって、前記第１のセクタデバイスグループオブジェクトリソースを前記第２のＢＢＵに通知するステップと
を含む、構成方法。
【請求項１６】
前記統合アクセスシステムは、第３のＢＢＵおよび第３の基地局ネットワーク管理サブシステムをさらに備え、前記第１のＢＢＵは前記第３のＢＢＵに接続され、前記第３のＢＢＵは前記第３の基地局ネットワーク管理サブシステムに接続され、前記方法は、
前記第１のＢＢＵによって、前記第３の基地局ネットワーク管理サブシステムのリソース構成要求に基づいて前記複数のセクタデバイスグループオブジェクトリソースから第２のセクタデバイスグループオブジェクトリソースを選択するステップと、
前記第１のＢＢＵによって、前記第２のセクタデバイスグループオブジェクトリソースを前記第３のＢＢＵに通知するステップと
をさらに含む請求項１５に記載の方法。
【請求項１７】
前記第１のデータ交換ユニットに対応する前記リソースは、無線周波数合成セル能力リソースおよび送信チャネル帯域幅リソースを備え、前記第１のｐＲＲＵに対応する前記リソースは無線周波数リソースを備える請求項１５または１６に記載の方法。
【請求項１８】
統合アクセスシステムに基づく構成方法であって、前記統合アクセスシステムは、第１のベースバンドユニット（ＢＢＵ）、第２のＢＢＵ、第１のデータ交換ユニット、第２の基地局ネットワーク管理サブシステム、および第１のピコリモート無線ユニット（ｐＲＲＵ）を備え、前記第１のＢＢＵは、前記第２のＢＢＵおよび前記第１のデータ交換ユニットに別々に接続され、前記第１のデータ交換ユニットは前記第１のｐＲＲＵに接続され、前記第２のＢＢＵは前記第２の基地局ネットワーク管理サブシステムに接続され、前記方法は、
前記第２のＢＢＵによって、前記第１のＢＢＵによって通知される第１のセクタデバイスグループオブジェクトリソースを取得するステップと、
前記第２のＢＢＵによって、前記第１のセクタデバイスグループオブジェクトリソースを前記第２のＢＢＵのベースバンドリソースにバインドし、前記第１のセクタデバイスグループオブジェクトリソースに対応する物理セルをアクティブにするステップと
を含む、構成方法。
【請求項１９】
ベースバンドユニット（ＢＢＵ）であって、前記ＢＢＵは特に第１のＢＢＵであり、前記第１のＢＢＵは統合アクセスシステムに属し、前記統合アクセスシステムは第２のＢＢＵをさらに備え、前記第１のＢＢＵは前記第２のＢＢＵに接続され、前記第１のＢＢＵは、
第１のクロック同期情報を取得するように構成された、取得モジュールであって、前記第１のクロック同期情報は、前記第１のＢＢＵのクロック周波数およびクロック位相を備える、取得モジュールと、
前記第１のクロック同期情報を前記第２のＢＢＵに送るように構成された、送りモジュールと
を備える、ベースバンドユニットＢＢＵ。
【請求項２０】
前記統合アクセスシステムは第３のＢＢＵをさらに備え、前記第３のＢＢＵは前記第１のＢＢＵに接続され、前記送りモジュールは、前記第１のクロック同期情報を前記第３のＢＢＵに送るようにさらに構成された請求項１９に記載のＢＢＵ。
【請求項２１】
ベースバンドユニット（ＢＢＵ）であって、前記ＢＢＵは特に第２のＢＢＵであり、前記第２のＢＢＵは統合アクセスシステムに属し、前記統合アクセスシステムは第１のＢＢＵをさらに備え、前記第１のＢＢＵは前記第２のＢＢＵに接続され、前記第２のＢＢＵは、
前記第１のＢＢＵによって送られた第１のクロック同期情報を受信するように構成された、受信モジュールであって、前記第１のクロック同期情報は、前記第１のＢＢＵのクロック周波数およびクロック位相を備える、受信モジュールと、
前記第１のクロック同期情報に基づいて前記第２のＢＢＵのローカルクロック情報を構成するように構成された、構成モジュールと
を備える、ベースバンドユニットＢＢＵ。
【請求項２２】
前記統合アクセスシステムは第４のＢＢＵをさらに備え、前記第４のＢＢＵは前記第２のＢＢＵに接続され、前記受信モジュールは、前記第４のＢＢＵによって送られた第２のクロック同期情報を受信するようにさらに構成され、前記第２のクロック同期情報は、前記第４のＢＢＵのクロック周波数およびクロック位相を備え、
前記構成モジュールは、前記第１のクロック同期情報および前記第２のクロック同期情報に基づいて前記第２のＢＢＵの前記ローカルクロック情報を構成するように特に構成された
請求項２１に記載のＢＢＵ。
【請求項２３】
前記構成モジュールは、前記第１のクロック同期情報および前記第２のクロック同期情報から、より高いクロック品質をもつクロック同期情報を選択し、より高いクロック品質をもつ前記クロック同期情報に基づいて前記第２のＢＢＵの前記ローカルクロック情報を構成するように特に構成された請求項２２に記載のＢＢＵ。
【請求項２４】
ベースバンドユニット（ＢＢＵ）であって、前記ＢＢＵは特に第１のＢＢＵであり、前記第１のＢＢＵは統合アクセスシステムに属し、前記統合アクセスシステムは第２のＢＢＵをさらに備え、前記第１のＢＢＵは前記第２のＢＢＵに接続され、前記第１のＢＢＵは、
第１の回線速度を更新し、各更新の後に、更新された第１の回線速度においてデータフレームを前記第２のＢＢＵに送るように構成された、回線速度更新モジュールと、
前記第２のＢＢＵが第２の回線速度を更新する各時間の後に、更新された第２の回線速度において前記第２のＢＢＵによって送られたデータフレームを受信するように構成された、受信モジュールと、
前記第１の回線速度が前記第２の回線速度に等しいとき、前記第１の回線速度において前記第１のＢＢＵのネットワーキング関係情報を前記第２のＢＢＵに送り、前記第２の回線速度において前記第２のＢＢＵによって送られた前記第２のＢＢＵのネットワーキング関係情報を受信するように構成された、送りモジュールと、
前記第２のＢＢＵの前記ネットワーキング関係情報に基づいて前記第２のＢＢＵに通信アドレスを割り振り、前記第１のＢＢＵの通信アドレスを前記第２のＢＢＵに送るように構成された、アドレス割振りモジュールと、
前記第２のＢＢＵの前記通信アドレスに基づいて前記第２のＢＢＵとの双方向上位レイヤ通信チャネルを確立するように構成された、チャネル確立モジュールと
を備える、ベースバンドユニットＢＢＵ。
【請求項２５】
前記第１の回線速度が前記第２の回線速度に等しいとき、前記第１のＢＢＵは回線速度判定モジュールをさらに備え、
前記送りモジュールは、前記第１の回線速度において前記第１のＢＢＵの回線速度能力情報を前記第２のＢＢＵに送るようにさらに構成され、
前記受信モジュールは、前記第２の回線速度において前記第２のＢＢＵによって送られた前記第２のＢＢＵの回線速度能力情報を受信するようにさらに構成され、
前記回線速度判定モジュールは、前記第１のＢＢＵの前記回線速度能力情報および前記第２のＢＢＵの前記回線速度能力情報に基づいて、前記第１のＢＢＵと前記第２のＢＢＵとの間で物理レイヤ通信を実施するために使用される回線速度を判定するように構成された
請求項２４に記載のＢＢＵ。
【請求項２６】
ベースバンドユニット（ＢＢＵ）であって、前記ＢＢＵは特に第２のＢＢＵであり、前記第２のＢＢＵは統合アクセスシステムに属し、前記統合アクセスシステムは第１のＢＢＵをさらに備え、前記第１のＢＢＵは前記第２のＢＢＵに接続され、前記第２のＢＢＵは、
第２の回線速度を更新し、各更新の後に、更新された第２の回線速度においてデータフレームを前記第１のＢＢＵに送るように構成された、回線速度更新モジュールと、
前記第１のＢＢＵが第１の回線速度を更新する各時間の後に、更新された第１の回線速度において前記第１のＢＢＵによって送られたデータフレームを受信するように構成された、受信モジュールと、
前記第２の回線速度が前記第１の回線速度に等しいとき、前記第２の回線速度において前記第２のＢＢＵのネットワーキング関係情報を前記第１のＢＢＵに送り、前記第１の回線速度において前記第１のＢＢＵによって送られた前記第１のＢＢＵのネットワーキング関係情報を受信するように構成された、送りモジュールと、
前記第１のＢＢＵの通信アドレスを取得するように構成された、アドレス取得モジュールと、
前記第１のＢＢＵの前記通信アドレスに基づいて前記第１のＢＢＵとの双方向上位レイヤ通信チャネルを確立するように構成された、チャネル確立モジュールと
を備える、ベースバンドユニットＢＢＵ。
【請求項２７】
前記第２の回線速度が前記第１の回線速度に等しいとき、前記第２のＢＢＵは回線速度判定モジュールをさらに備え、
前記送りモジュールは、前記第２の速度において前記第２のＢＢＵの回線速度能力情報を前記第１のＢＢＵに送るようにさらに構成され、
前記受信モジュールは、前記第１の回線速度において前記第１のＢＢＵによって送られた前記第１のＢＢＵの回線速度能力情報を受信するようにさらに構成され、
前記回線速度判定モジュールは、前記第２のＢＢＵの前記回線速度能力情報および前記第１のＢＢＵの前記回線速度能力情報に基づいて、前記第１のＢＢＵと前記第２のＢＢＵとの間で物理レイヤ通信を実施するために使用される回線速度を判定するように構成された
請求項２６に記載のＢＢＵ。
【請求項２８】
ベースバンドユニット（ＢＢＵ）であって、前記ＢＢＵは特に第１のＢＢＵであり、前記第１のＢＢＵは統合アクセスシステムに属し、前記統合アクセスシステムは、第２のＢＢＵ、第１のデータ交換ユニット、第２の基地局ネットワーク管理サブシステム、および第１のピコリモート無線ユニット（ｐＲＲＵ）をさらに備え、前記第１のＢＢＵは、前記第２のＢＢＵおよび前記第１のデータ交換ユニットに別々に接続され、前記第１のデータ交換ユニットは前記第１のｐＲＲＵに接続され、前記第２のＢＢＵは前記第２の基地局ネットワーク管理サブシステムに接続され、前記第１のＢＢＵは、
前記第１のデータ交換ユニットに対応するリソースおよび前記第１のｐＲＲＵに対応するリソースにスライシング処理を実施して、複数のセクタデバイスグループオブジェクトリソースを取得するように構成された、スライシングモジュールと、
前記第２の基地局ネットワーク管理サブシステムのリソース構成要求に基づいて前記複数のセクタデバイスグループオブジェクトリソースから第１のセクタデバイスグループオブジェクトリソースを選択するように構成された、リソース割振りモジュールと、
前記第１のセクタデバイスグループオブジェクトリソースを前記第２のＢＢＵに通知するように構成された、通知モジュールと
を備える、ベースバンドユニットＢＢＵ。
【請求項２９】
前記統合アクセスシステムは、第３のＢＢＵおよび第３の基地局ネットワーク管理サブシステムをさらに備え、前記第１のＢＢＵは前記第３のＢＢＵに接続され、前記第３のＢＢＵは前記第３の基地局ネットワーク管理サブシステムに接続され、
前記リソース割振りモジュールは、前記第３の基地局ネットワーク管理サブシステムのリソース構成要求に基づいて前記複数のセクタデバイスグループオブジェクトリソースから第２のセクタデバイスグループオブジェクトリソースを選択するようにさらに構成され、
前記通知モジュールは、前記第２のセクタデバイスグループオブジェクトリソースを前記第３のＢＢＵに通知するようにさらに構成された
請求項２８に記載のＢＢＵ。
【請求項３０】
ベースバンドユニット（ＢＢＵ）であって、前記ＢＢＵは特に第２のＢＢＵであり、前記第２のＢＢＵは統合アクセスシステムに属し、前記統合アクセスシステムは、第１のＢＢＵ、第１のデータ交換ユニット、第２の基地局ネットワーク管理サブシステム、および第１のピコリモート無線ユニット（ｐＲＲＵ）をさらに備え、前記第１のＢＢＵは、前記第２のＢＢＵおよび前記第１のデータ交換ユニットに別々に接続され、前記第１のデータ交換ユニットは前記第１のｐＲＲＵに接続され、前記第２のＢＢＵは前記第２の基地局ネットワーク管理サブシステムに接続され、前記第２のＢＢＵは、
前記第１のＢＢＵによって通知される第１のセクタデバイスグループオブジェクトリソースを取得するように構成された、リソース取得モジュールと、
前記第１のセクタデバイスグループオブジェクトリソースを前記第２のＢＢＵのベースバンドリソースにバインドし、前記第１のセクタデバイスグループオブジェクトリソースに対応する物理セルをアクティブにするように構成された、リソース使用モジュールと
を備える、ベースバンドユニットＢＢＵ。
【請求項３１】
命令を備える、コンピュータ可読記憶媒体であって、前記命令がコンピュータ上で実行されるとき、前記コンピュータは、請求項４乃至１８のいずれか一項に記載の方法を実施することを可能にされる、コンピュータ可読記憶媒体。
【請求項３２】
命令を備えるコンピュータプログラム製品であって、前記コンピュータプログラム製品がコンピュータ上で実行されるとき、前記コンピュータは、請求項４乃至１８のいずれか一項に記載の方法を実施することを可能にされる、コンピュータプログラム製品。
【国際調査報告】
2020523854.tif 000032
2020523854.tif 000033
2020523854.tif 000034
2020523854.tif 000035